(57)【要約】【課題】読み終えた大量の古新聞や雑誌、雑紙を回収場所までた易く運んでいける紙紐付古新聞回収用紙袋を提供する。【解決手段】紙袋本体１０は、古新聞を折りたたんだ状態で長さの長い両横縁部にそれぞれ内側が接触する第１の側面１００及び第２の側面２００と、長さの短い両側縁部にそれぞれ内側が接触する第３の側面３００及び第４の側面４００を有し、第１の側面乃至第４の側面から下側にそれぞれ延在した延在面を互いに重ね合わせて付着させたことで形成される底面部５００を有し、紙紐９００は、１本の紙紐の両端部を結び合わせて構成されており、第１の側面から延在するループ状紙紐部９１０と第２の側面から延在するループ状結び部９２０とを更に互いに結んで古新聞を紙紐付古新聞回収用紙袋ごと持ち運び可能な持ち運び部を形成する。【選択図】図１
2019064742.tif 000002
【特許請求の範囲】
【請求項１】
読み終えて折りたたんだ古新聞を多数枚重ねて収容することが可能な四角筒形で上部が開口し下部が矩形状の底面となっている紙でできた紙袋本体と、前記紙袋本体に備わり古新聞を多数枚重ねた状態で前記紙袋本体と共に持ち運び可能な紙紐を有する紙紐付古新聞回収用紙袋であって、
前記紙袋本体は、古新聞を折りたたんだ状態で長さの長い両横縁部にそれぞれ内側が接触する第１の側面及び第２の側面と、長さの短い両側縁部にそれぞれ内側が接触する第３の側面及び第４の側面を有すると共に、前記第１の側面乃至第４の側面から下側にそれぞれ延在した第１の延在面乃至第４の延在面を互いに重ね合わせて当該重ね合わせ部の所定領域を付着させたことで形成される底面部を有し、
少なくとも前記第１の側面と第２の側面の上側縁は所定の幅で折り返されて第１の上側折り返し部と第２の上側折り返し部を有し、
前記第１の側面及び第２の側面の下側縁部近傍には、それぞれ各下側縁部の両端からほぼ同一の所定距離だけ離れた位置に下側紙紐挿通部が２カ所ずつ備わっており、かつ前記第１の側面の第１の上側折り返し部及び第２の側面の第２の上側折り返し部にも、前記各上側折り返し部のそれぞれの上端縁部において両端からほぼ同一の所定距離だけ離れた位置に上側紙紐挿通部が２カ所ずつ備わっており、
前記紙紐は、１本の紙紐の両端部を結び合わせて構成されており、当該紙紐は、前記第１の側面の古新聞接触面において当該第１の側面の下側縁部の長手方向一方の端部側に設けた下側紙紐挿通部から前記第１の側面の前記第１の上側折り返し部の長手方向一方の端部側に設けた上側紙紐挿通部に延在すると共に、前記第１の側面の古新聞接触面において当該第１の側面の下側縁部の長手方向他方の端部側に設けた下側紙紐挿通部から前記第１の側面の前記第１の上側折り返し部の長手方向他方の端部側に設けた上側紙紐挿通部に延在し、かつ前記第２の側面の前記第２の上側折り返し部の古新聞接触面において当該第２の側面の下側縁部の長手方向一方の端部側に設けた下側紙紐挿通部から当該第２の側面の前記第２の上側折り返し部の長手方向一方の端部側に設けた上側紙紐挿通部に延在すると共に、前記第２の側面の古新聞接触面において当該第２の側面の下側縁部の長手方向他方の端部側に設けた下側紙紐挿通部から当該第２の側面の上側折り返し部の長手方向他方の端部側に設けた上側紙紐挿通部に延在し、
前記紙紐は更に、前記紙袋本体の底面部の古新聞接触面側と反対側面において、前記第１の側面の一方の下側紙紐挿通部から前記第２の側面の一方の下側紙紐挿通部に延在すると共に、前記第１の側面の他方の下側紙紐挿通部から前記第２の側面の他方の下側紙紐挿通部に延在し、
前記第１の側面の各上側折り曲げ部に設けた上側紙紐挿通部と他方の上側紙紐挿通部から所定の長さだけ紙紐が導出しており、かつ
前記第１の側面か前記第２の側面の一方の側面から導出した紙紐は、そのままループ状をなし、他方の側面から導出した紙紐はその端部が結ばれることでループ状をなし、
前記古新聞を所定の高さまで収容し、前記第１の側面から延在するループ状紙紐部と前記第２の側面から延在するループ状紙紐部とを更に互いに結わえた状態において、前記ループ状紙紐部同士を結わえた部分を取っ手代わりにして前記紙紐付古新聞回収用紙袋ごと持ち運び可能な持ち運び部が更に形成されるのに十分な長さを前記紙紐が有したことを特徴とする紙紐付古新聞回収用紙袋。
【請求項２】
読み終えて折りたたんだ古新聞を多数枚重ねて収容することが可能な四角筒形で上部が開口し下部が矩形状の底面となっている紙でできた紙袋本体と、前記紙袋本体に備わり古新聞を多数枚重ねた状態で前記紙袋本体と共に持ち運び可能な紙紐を有する紙紐付古新聞回収用紙袋であって、
前記紙袋本体は、古新聞を折りたたんだ状態で長さの長い両横縁部にそれぞれ内側が接触する第１の側面及び第２の側面と、長さの短い両側縁部にそれぞれ内側が接触する第３の側面及び第４の側面を有すると共に、前記第１の側面乃至第４の側面から下側にそれぞれ延在した第１の延在面乃至第４の延在面を互いに重ね合わせて当該重ね合わせ部の所定領域を付着させたことで形成される底面部を有し、
少なくとも前記第１の側面と第２の側面の上側縁は所定の幅で折り返されて第１の上側折り返し部と第２の上側折り返し部を有し、
前記第１の側面及び第２の側面の下側縁部近傍には、それぞれ各下側縁部の両端からほぼ同一の所定距離だけ離れた位置に下側紙紐挿通部が２カ所ずつ備わっており、かつ前記第１の側面の第１の上側折り返し部及び第２の側面の第２の上側折り返し部にも、前記各上側折り返し部のそれぞれの上端縁部において両端からほぼ同一の所定距離だけ離れた位置に上側紙紐挿通部が２カ所ずつ備わっており、
前記紙紐は、１本の紙紐の両端部を結び合わせて構成されており、当該紙紐は、前記第１の側面の古新聞接触面と反対側面において当該第１の側面の下側縁部の長手方向一方の端部側に設けた下側紙紐挿通部から前記第１の側面の前記第１の上側折り返し部の長手方向一方の端部側に設けた上側紙紐挿通部に延在すると共に、前記第１の側面の古新聞接触面と反対側面において当該第１の側面の下側縁部の長手方向他方の端部側に設けた下側紙紐挿通部から前記第１の側面の前記第１の上側折り返し部の長手方向他方の端部側に設けた上側紙紐挿通部に延在し、かつ前記第２の側面の前記第２の上側折り返し部の古新聞接触面と反対側面において当該第２の側面の下側縁部の長手方向一方の端部側に設けた下側紙紐挿通部から当該第２の側面の前記第２の上側折り返し部の長手方向一方の端部側に設けた上側紙紐挿通部に延在すると共に、前記第２の側面の古新聞接触面と反対側面において当該第２の側面の下側縁部の長手方向他方の端部側に設けた下側紙紐挿通部から当該第２の側面の上側折り返し部の長手方向他方の端部側に設けた上側紙紐挿通部に延在し、
前記紙紐は更に、前記紙袋本体の底面部の古新聞接触面側において、前記第１の側面の一方の下側紙紐挿通部から前記第２の側面の一方の下側紙紐挿通部に延在すると共に、前記第１の側面の他方の下側紙紐挿通部から前記第２の側面の他方の下側紙紐挿通部に延在し、
前記第１の側面の各上側折り曲げ部に設けた上側紙紐挿通部と他方の上側紙紐挿通部から所定の長さだけ紙紐が導出しており、かつ
前記第１の側面か前記第２の側面の一方の側面から導出した紙紐は、そのままループ状をなし、他方の側面から導出した紙紐はその端部が結ばれることでループ状をなし、
前記古新聞を所定の高さまで収容し、前記第１の側面から延在するループ状紙紐部と前記第２の側面から延在するループ状紙紐部とを更に互いに結わえた状態において、前記ループ状紙紐部同士を結わえた部分を取っ手代わりにして前記紙紐付古新聞回収用紙袋ごと持ち運び可能な持ち運び部が更に形成されるのに十分な長さを前記紙紐が有したことを特徴とする紙紐付古新聞回収用紙袋。
【請求項３】
読み終えて折りたたんだ古新聞を多数枚重ねて収容することが可能な四角筒形で上部が開口し下部が矩形状の底面となっている紙でできた紙袋本体と、前記紙袋本体に備わり古新聞を多数枚重ねた状態で前記紙袋本体と共に持ち運び可能な紙紐を有する紙紐付古新聞回収用紙袋であって、
前記紙袋本体は、古新聞を折りたたんだ状態で長さの長い両横縁部にそれぞれ内側が接触する第１の側面及び第２の側面と、長さの短い両側縁部にそれぞれ内側が接触する第３の側面及び第４の側面を有すると共に、前記第１の側面乃至第４の側面から下側にそれぞれ延在した第１の延在面乃至第４の延在面を互いに重ね合わせて当該重ね合わせ部の所定領域を付着させたことで形成される底面部を有し、
少なくとも前記第１の側面と第２の側面の上側縁は所定の幅で折り返されて第１の上側折り返し部と第２の上側折り返し部を有し、
前記第１の側面及び第２の側面の下側縁部近傍には、それぞれ各下側縁部の両端からほぼ同一の所定距離だけ離れた位置に下側紙紐挿通部が２カ所ずつ備わっており、かつ前記第１の側面の第１の上側折り返し部及び第２の側面の第２の上側折り返し部にも、前記各上側折り返し部のそれぞれの上端縁部において両端からほぼ同一の所定距離だけ離れた位置に上側紙紐挿通部が２カ所ずつ備わっており、
更には前記第１の側面及び第２の側面のそれぞれに設けられた前記２つの下側紙紐挿通部と２つの上側紙紐挿通部の各々のうち、前記第１の側面の幅方向一方の側縁に近い側の下側紙紐挿通部と上側紙紐挿通部を結ぶ仮想線及び幅方向他方の側縁に近い側の下側紙紐挿通部と上側紙紐挿通部を結ぶ仮想線のそれぞれの所定位置に２つの側面紙紐挿通部が備わると共に、前記第２の側面の幅方向一方の側縁に近い側の下側紙紐挿通部と上側紙紐挿通部を結ぶ仮想線及び幅方向他方の側縁に近い側の下側紙紐挿通部と上側紙紐挿通部を結ぶ仮想線のそれぞれの所定位置に２つの側面紙紐挿通部が備わっており、
前記紙紐は、１本の紙紐の両端部を結び合わせて構成されており、当該紙紐は、前記第１の側面の古新聞接触面と反対側面において当該第１の側面の下側縁部の長手方向一方の端部側に設けた下側紙紐挿通部からこれに最も近い前記側面紙紐挿通部まで延在した後、当該側面紙紐挿通部を通って前記第１の側面の古新聞接触面側において前記側面紙紐挿通部から前記第１の側面の前記第１の上側折り返し部の長手方向一方の端部側に設けた上側紙紐挿通部に延在すると共に、
前記第１の側面の古新聞接触面と反対側面において当該第１の側面の下側縁部の長手方向他方の端部側に設けた下側紙紐挿通部からこれに最も近い前記側面紙紐挿通部まで延在した後、当該側面紙紐挿通部を通って前記第１の側面の古新聞接触面側において前記側面紙紐挿通部から前記第１の側面の前記第１の上側折り返し部の長手方向他方の端部側に設けた上側紙紐挿通部に延在し、かつ
前記第２の側面の古新聞接触面と反対側面において当該第２の側面の下側縁部の長手方向一方の端部側に設けた下側紙紐挿通部からこれに最も近い前記側面紙紐挿通部まで延在した後、当該側面紙紐挿通部を通って前記第２の側面の古新聞接触面側において前記側面紙紐挿通部から前記第２の側面の第２の上側折り返し部の長手方向一方の端部側に設けた上側紙紐挿通部に延在すると共に、
前記第２の側面の古新聞接触面と反対側面において当該第２の側面の下側縁部の長手方向他方の端部側に設けた下側紙紐挿通部からこれに最も近い前記側面紙紐挿通部まで延在した後、当該側面紙紐挿通部を通って前記第２の側面の古新聞接触面側において前記側面紙紐挿通部から前記第２の側面の前記第２の上側折り返し部の長手方向他方の端部側に設けた上側紙紐挿通部に延在し、
前記紙紐は更に、前記紙袋本体の底面部の古新聞接触面側において、前記第１の側面の一方の下側紙紐挿通部から前記第２の側面の一方の下側紙紐挿通部に延在すると共に、前記第１の側面の他方の下側紙紐挿通部から前記第２の側面の他方の下側紙紐挿通部に延在し、かつ
前記第１の側面の各上側折り曲げ部に設けた上側紙紐挿通部と他方の上側紙紐挿通部から所定の長さだけ紙紐が導出しており、かつ
前記第１の側面か前記第２の側面の一方の側面から導出した紙紐は、そのままループ状をなし、他方の側面から導出した紙紐はその端部が結ばれることでループ状をなし、
前記古新聞を所定の高さまで収容し、前記第１の側面から延在するループ状紙紐部と前記第２の側面から延在するループ状紙紐部とを更に互いに結わえた状態において、前記ループ状紙紐部同士を結わえた部分を取っ手代わりにして前記紙紐付古新聞回収用紙袋ごと持ち運び可能な持ち運び部が更に形成されるのに十分な長さを前記紙紐が有したことを特徴とする紙紐付古新聞回収用紙袋。
【請求項４】
読み終えて折りたたんだ古新聞を多数枚重ねて収容することが可能な四角筒形で上部が開口し下部が矩形状の底面となっている紙でできた紙袋本体と、前記紙袋本体に備わり古新聞を多数枚重ねた状態で前記紙袋本体と共に持ち運び可能な紙紐を有する紙紐付古新聞回収用紙袋であって、
前記紙袋本体は、古新聞を折りたたんだ状態で長さの長い両横縁部にそれぞれ内側が接触する第１の側面及び第２の側面と、長さの短い両側縁部にそれぞれ内側が接触する第３の側面及び第４の側面を有すると共に、前記第１の側面乃至第４の側面から下側にそれぞれ延在した第１の延在面乃至第４の延在面を互いに重ね合わせて当該重ね合わせ部の所定領域を付着させたことで形成される底面部を有し、
少なくとも前記第１の側面と第２の側面の上側縁は所定の幅で折り返されて第１の上側折り返し部と第２の上側折り返し部を有し、
前記第１の側面及び第２の側面の下側縁部近傍には、それぞれ各下側縁部の両端からほぼ同一の所定距離だけ離れた位置に下側紙紐挿通部が２カ所ずつ備わっており、かつ前記第１の側面の第１の上側折り返し部及び第２の側面の第２の上側折り返し部にも、前記各上側折り返し部のそれぞれの上端縁部において両端からほぼ同一の所定距離だけ離れた位置に上側紙紐挿通部が２カ所ずつ備わっており、
更には前記第１の側面及び第２の側面のそれぞれに設けられた前記２つの下側紙紐挿通部と２つの上側紙紐挿通部の各々のうち、前記第１の側面の幅方向一方の側縁に近い側の下側紙紐挿通部と上側紙紐挿通部を結ぶ仮想線及び幅方向他方の側縁に近い側の下側紙紐挿通部と上側紙紐挿通部を結ぶ仮想線のそれぞれの所定位置に２つの側面紙紐挿通部が備わると共に、前記第２の側面の幅方向一方の側縁に近い側の下側紙紐挿通部と上側紙紐挿通部を結ぶ仮想線及び幅方向他方の側縁に近い側の下側紙紐挿通部と上側紙紐挿通部を結ぶ仮想線のそれぞれの所定位置に２つの側面紙紐挿通部が備わっており、
前記紙紐は、１本の紙紐の両端部を結び合わせて構成されており、当該紙紐は、前記第１の側面の古新聞接触面において当該第１の側面の下側縁部の長手方向一方の端部側に設けた下側紙紐挿通部からこれに最も近い前記側面紙紐挿通部まで延在した後、当該側面紙紐挿通部を通って前記第１の側面の古新聞接触面と反対側面において前記側面紙紐挿通部から前記第１の側面の第１の上側折り返し部の長手方向一方の端部側に設けた上側紙紐挿通部に延在すると共に、
前記第１の側面の古新聞接触面において当該第１の側面の下側縁部の長手方向他方の端部側に設けた下側紙紐挿通部からこれに最も近い前記側面紙紐挿通部まで延在した後、当該側面紙紐挿通部を通って前記第１の側面の古新聞接触面側において前記側面紙紐挿通部から前記第１の側面の第１の上側折り返し部の長手方向他方の端部側に設けた上側紙紐挿通部に延在し、かつ
前記第２の側面の古新聞接触面において当該第２の側面の下側縁部の長手方向一方の端部側に設けた下側紙紐挿通部からこれに最も近い前記側面紙紐挿通部まで延在した後、当該側面紙紐挿通部を通って前記第２の側面の古新聞接触面と反対側面において前記側面紙紐挿通部から前記第２の側面の第２の上側折り返し部の長手方向一方の端部側に設けた上側紙紐挿通部に延在すると共に、
前記第２の側面の古新聞接触面において当該第２の側面の下側縁部の長手方向他方の端部側に設けた下側紙紐挿通部からこれに最も近い前記側面紙紐挿通部まで延在した後、当該側面紙紐挿通部を通って前記第２の側面の古新聞接触面と反対側面において前記側面紙紐挿通部から前記第２の側面の第２の上側折り返し部の長手方向他方の端部側に設けた上側紙紐挿通部に延在し、
前記紙紐は更に、前記紙袋本体の底面部の古新聞接触面側と反対側面において、前記第１の側面の一方の下側紙紐挿通部から前記第２の側面の一方の下側紙紐挿通部に延在すると共に、前記第１の側面の他方の下側紙紐挿通部から前記第２の側面の他方の下側紙紐挿通部に延在し、
前記第１の側面の各上側折り曲げ部に設けた上側紙紐挿通部と他方の上側紙紐挿通部から所定の長さだけ紙紐が導出しており、かつ
前記第１の側面か前記第２の側面の一方の側面から導出した紙紐は、そのままループ状をなし、他方の側面から導出した紙紐はその端部が結ばれることでループ状をなし、
前記古新聞を所定の高さまで収容し、前記第１の側面から延在するループ状紙紐部と前記第２の側面から延在するループ状紙紐部とを更に互いに結わえた状態において、前記ループ状紙紐部同士を結わえた部分を取っ手代わりにして前記紙紐付古新聞回収用紙袋ごと持ち運び可能な持ち運び部が更に形成されるのに十分な長さを前記紙紐が有したことを特徴とする紙紐付古新聞回収用紙袋。
【請求項５】
前記紙紐が、前記第１の側面の一方の下側紙紐挿通部から前記第２の側面の一方の下側紙紐挿通部に延在すると共に、前記第１の側面の他方の下側紙紐挿通部から前記第２の側面の他方の下側紙紐挿通部に延在する代わりに、前記第１の側面の一方の下側紙紐挿通部から前記第２の側面の他方の下側紙紐挿通部に延在すると共に、前記第１の側面の他方の下側紙紐挿通部から前記第２の側面の一方の下側紙紐挿通部に延在することを特徴とする請求項１乃至請求項４の何れかに記載の紙紐付古新聞回収用紙袋。
【請求項６】
前記第１の側面の２つの上側紙紐挿通部の間隔は、当該第１の側面の２つの下側紙紐挿通部の間隔より短くなっており、かつ前記第２の側面の２つの上側紙紐挿通部の間隔は、当該第２の側面の２つの下側紙紐挿通部の間隔より短くなっていることを特徴とする請求項１乃至請求項５の何れかに記載の紙紐付古新聞回収用紙袋。
【請求項７】
前記上側紙紐挿通部は、前記第１の側面及び前記第２の側面の上側折り返し部においてＶ字状をなす切り込み線を利用した折り返しからなり、この切り込みの折り返し縁部の少なくとも一部が前記各上側折り返し部の幅方向内側において前記紙紐と接するように前記切り込みを前記各上側折り返し部の内側に折り返すことで形成されていることを特徴になとする請求項６に記載の紙紐付古新聞回収用紙袋。
【請求項８】
前記下側紙紐挿通部は、前記第１の側面及び前記第２の側面の下側縁部に形成された逆Ｖ字状をなす切り込み線を利用してこれを前記古新聞回収用紙袋の底面の新聞接触面側であって前記紙紐が延在する部分の下側に三角形に折り返して形成されていることを特徴とする請求項１乃至請求項７の何れかに記載の紙紐付古新聞回収用紙袋。
【請求項９】
前記下側紙紐挿通部は、前記第１の側面及び前記第２の側面の下側縁部と前記紙袋本体の底面部の前記第１の側面及び第２の側面との接続縁部におけるＶ字状をなす切り込み線を折り返して形成され、前記切り込み線は、前記各第１の側面及び第２の側面の下側縁部と前記紙袋本体の底面部の前記第１の側面及び第２の側面との接続部分において内側に折り返すことで形成される折り返し縁部の少なくとも一部に前記紙紐が接するように形成されていることを特徴とする請求項１乃至請求項７の何れかに記載の紙紐付古新聞回収用紙袋。
【請求項１０】
前記第１の側面乃至第４の側面が、前記古新聞の代わりに読み終えて廃棄する雑誌を重ねて入れることができる寸法となったことを特徴とする請求項１乃至請求項９の何れかに記載の紙紐付古新聞回収用紙袋。
【請求項１１】
前記第１の側面乃至第４の側面が、前記古新聞の代わりに開封した封筒や当該古新聞よりも小さいサイズの雑紙を入れることができる寸法となったことを特徴とする請求項１乃至請求項９の何れかに記載の紙紐付古新聞回収用紙袋。
【請求項１２】
前記第１の側面か前記第２の側面の一方の側面から導出した紙紐がそのままループ状をなしかつ他方の側面から導出した紙紐はその端部が結ばれることでループ状をなす代わりに、前記２つのループ状の紙紐には結び部を有しておらず、当該結び部は、前記２つのループ状以外の紙紐の延在位置において備わっていることを特徴とする請求項１乃至請求項１１の何れかに記載の紙紐付古新聞回収用紙袋。
【発明の詳細な説明】
【技術分野】
【０００１】
本発明は、読み終えた古新聞やチラシ、雑誌、開封して不要となった封筒等の古紙を入れて一定量たまった段階でこれらの古新聞等を回収する場所にもって行くのに適した紙紐付古新聞回収用紙袋に関する。
【背景技術】
【０００２】
従来から読み終えた古新聞やチラシ、雑誌、開封して不要となった封筒等の古紙を入れて一定量たまった段階でこれらの古新聞等を回収する場所にもって行くのに利用する紙袋や段ボールでできた箱などが知られている（例えば特許文献１乃至特許文献４参照）。
【先行技術文献】
【特許文献】
【０００３】
【特許文献１】特開２００５−２１９８０７号公報
【特許文献２】特開２０１１−３１９７２号公報
【特許文献３】特開２０１３−５２９１４号公報
【特許文献４】特開平１１−２６３３３２号公報
【発明の概要】
【発明が解決しようとする課題】
【０００４】
読み終えた古新聞を処分するために新聞の配布と同時に配られている古新聞回収用紙袋の中に４つ折りにした古新聞を読み終えた順に重ねていって古新聞が古新聞回収用紙袋の中に十分積み上げられた後に紙袋ごと市販のビニール紐を用いて縛ってこれを古新聞の回収場所に持っていくことが通常行われている。
【０００５】
しかしながら、古新聞が十分積み上げられた古新聞回収用紙袋をビニール紐で縛るには、それなりの要領と強い力で縛り上げる必要がある。中途半端に縛った状態で大量の古新聞を収容した古新聞回収用紙袋を回収場所に持っていこうとすると、途中でビニール紐が解けて古新聞回収用紙袋から外れてしまい、最悪の場合手に持っていた古新聞回収用紙袋がその開口部を下向きにしたまま一戸建ての住宅の床、マンションの床や通路、エントランス、若しくは回収場所までの道路上に落ちてしまい、せっかく収容した古新聞がその場に散乱ししまうことがある。
【０００６】
古新聞回収用紙袋をビニール紐で縛るにあたって十分な力で縛ることができない女性や子供、高齢者、手先の不自由な人にとってこのような不都合が生じるおそれが特に考えられる。
【０００７】
また、古新聞がたくさん入った古新聞回収用紙袋の周囲をビニール紐で紙袋の上側から見て十字状に交差させて紙袋の角部で縛っただけでは、手で持つ時にこの十字状の部分に指を入れて握った状態で持ち運ばなければならない。この場合、ビニール紐でループ状の取っ手の部分を作ってそれを使って持ち運ぶことができないため、古新聞が満杯となった紙袋の重みが取っ手を握る指の全てに均等にかからず何れかの指に集中してかかってその指を痛めてしまうこともある。
【０００８】
また、古新聞が詰まって重くなった古新聞回収用紙袋の上述したビニール紐による十字状の交差部分にループ状の取っ手を作ろうとすると、紙袋を持った時にバランスよくかつ確実に運ぶことができるようにするために、この交差部分を紙袋の上側から見てちょうど中央になるように形成させた後にしっかりとしたループ状の取っ手を作らなければならず、かなり慣れていないと、このような取っ手を作ることは難しい。
【０００９】
一方、上述のようなビニール紐で縛った古新聞回収用紙袋を回収した後においても、回収業者が古新聞を再生利用するにあたって、古新聞と材質が異なるビニール紐を全て解いて再生すべき古新聞にも当たらないようにするという余分な作業が必要となる。
【００１０】
なお、特許文献１において開示された内容は、古新聞を箱の中に収納し収納した状態のまま古新聞を結束して取り出すものであり、日々増えていき月に１回か２回程度の頻度で古新聞を回収してもらう現状においては、古新聞回収ごとにこのような箱を使っていたのではきわめて多くの箱を用意して保管しておかなければならず、コストがかかる上、部屋の中でそれなりの保管スペースを必要としてしまい問題がある。
【００１１】
また、特許文献２において開示された内容は、古新聞を回収する袋自体が合成樹脂でできているため、回収した後に回収業者が古新聞を再生業者に渡す際に、再生すべき古新聞に合成樹脂の袋が混ざらないように全ての袋自体から古新聞を取り出すという面倒な作業が必要となる。
【００１２】
また、特許文献３に開示された内容は、古新聞等の回収箱であり、特許文献４において開示された内容は、古新聞や腰を整理する新聞整理箱である。即ち、これらの特許文献に開示された内容は基本的に特許文献１と同様であり上述した問題と同様の問題を有している。
【００１３】
本発明の目的は、読み終えた大量の古新聞や雑誌、チラシ、開封した封筒、古紙等を再生紙として再利用するために回収業者の指定する場所まで苦労せずにまとめて運んでいくことができる紙紐付古新聞回収用紙袋を提供することにある。
【課題を解決するための手段】
【００１４】
上述の課題を解決するために、本発明の請求項１に係る紙紐付古新聞回収用紙袋は、
読み終えて折りたたんだ古新聞を多数枚重ねて収容することが可能な四角筒形で上部が開口し下部が矩形状の底面となっている紙でできた紙袋本体と、前記紙袋本体に備わり古新聞を多数枚重ねた状態で前記紙袋本体と共に持ち運び可能な紙紐を有する紙紐付古新聞回収用紙袋であって、
前記紙袋本体は、古新聞を折りたたんだ状態で長さの長い両横縁部にそれぞれ内側が接触する第１の側面及び第２の側面と、長さの短い両側縁部にそれぞれ内側が接触する第３の側面及び第４の側面を有すると共に、前記第１の側面乃至第４の側面から下側にそれぞれ延在した第１の延在面乃至第４の延在面を互いに重ね合わせて当該重ね合わせ部の所定領域を付着させたことで形成される底面部を有し、
少なくとも前記第１の側面と第２の側面の上側縁は所定の幅で折り返されて第１の上側折り返し部と第２の上側折り返し部を有し、
前記第１の側面及び第２の側面の下側縁部近傍には、それぞれ各下側縁部の両端からほぼ同一の所定距離だけ離れた位置に下側紙紐挿通部が２カ所ずつ備わっており、かつ前記第１の側面の第１の上側折り返し部及び第２の側面の第２の上側折り返し部にも、前記各上側折り返し部のそれぞれの上端縁部において両端からほぼ同一の所定距離だけ離れた位置に上側紙紐挿通部が２カ所ずつ備わっており、
前記紙紐は、１本の紙紐の両端部を結び合わせて構成されており、当該紙紐は、前記第１の側面の古新聞接触面において当該第１の側面の下側縁部の長手方向一方の端部側に設けた下側紙紐挿通部から前記第１の側面の前記第１の上側折り返し部の長手方向一方の端部側に設けた上側紙紐挿通部に延在すると共に、前記第１の側面の古新聞接触面において当該第１の側面の下側縁部の長手方向他方の端部側に設けた下側紙紐挿通部から前記第１の側面の前記第１の上側折り返し部の長手方向他方の端部側に設けた上側紙紐挿通部に延在し、かつ前記第２の側面の前記第２の上側折り返し部の古新聞接触面において当該第２の側面の下側縁部の長手方向一方の端部側に設けた下側紙紐挿通部から当該第２の側面の前記第２の上側折り返し部の長手方向一方の端部側に設けた上側紙紐挿通部に延在すると共に、前記第２の側面の古新聞接触面において当該第２の側面の下側縁部の長手方向他方の端部側に設けた下側紙紐挿通部から当該第２の側面の上側折り返し部の長手方向他方の端部側に設けた上側紙紐挿通部に延在し、
前記紙紐は更に、前記紙袋本体の底面部の古新聞接触面側と反対側面において、前記第１の側面の一方の下側紙紐挿通部から前記第２の側面の一方の下側紙紐挿通部に延在すると共に、前記第１の側面の他方の下側紙紐挿通部から前記第２の側面の他方の下側紙紐挿通部に延在し、
前記第１の側面の各上側折り曲げ部に設けた上側紙紐挿通部と他方の上側紙紐挿通部から所定の長さだけ紙紐が導出しており、かつ
前記第１の側面か前記第２の側面の一方の側面から導出した紙紐は、そのままループ状をなし、他方の側面から導出した紙紐はその端部が結ばれることでループ状をなし、
前記古新聞を所定の高さまで収容し、前記第１の側面から延在するループ状紙紐部と前記第２の側面から延在するループ状紙紐部とを更に互いに結わえた状態において、前記ループ状紙紐部同士を結わえた部分を取っ手代わりにして前記紙紐付古新聞回収用紙袋ごと持ち運び可能な持ち運び部が更に形成されるのに十分な長さを前記紙紐が有したことを特徴としている。
【００１５】
また、本発明の請求項２に係る紙紐付古新聞回収用紙袋は、
読み終えて折りたたんだ古新聞を多数枚重ねて収容することが可能な四角筒形で上部が開口し下部が矩形状の底面となっている紙でできた紙袋本体と、前記紙袋本体に備わり古新聞を多数枚重ねた状態で前記紙袋本体と共に持ち運び可能な紙紐を有する紙紐付古新聞回収用紙袋であって、
前記紙袋本体は、古新聞を折りたたんだ状態で長さの長い両横縁部にそれぞれ内側が接触する第１の側面及び第２の側面と、長さの短い両側縁部にそれぞれ内側が接触する第３の側面及び第４の側面を有すると共に、前記第１の側面乃至第４の側面から下側にそれぞれ延在した第１の延在面乃至第４の延在面を互いに重ね合わせて当該重ね合わせ部の所定領域を付着させたことで形成される底面部を有し、
少なくとも前記第１の側面と第２の側面の上側縁は所定の幅で折り返されて第１の上側折り返し部と第２の上側折り返し部を有し、
前記第１の側面及び第２の側面の下側縁部近傍には、それぞれ各下側縁部の両端からほぼ同一の所定距離だけ離れた位置に下側紙紐挿通部が２カ所ずつ備わっており、かつ前記第１の側面の第１の上側折り返し部及び第２の側面の第２の上側折り返し部にも、前記各上側折り返し部のそれぞれの上端縁部において両端からほぼ同一の所定距離だけ離れた位置に上側紙紐挿通部が２カ所ずつ備わっており、
前記紙紐は、１本の紙紐の両端部を結び合わせて構成されており、当該紙紐は、前記第１の側面の古新聞接触面と反対側面において当該第１の側面の下側縁部の長手方向一方の端部側に設けた下側紙紐挿通部から前記第１の側面の前記第１の上側折り返し部の長手方向一方の端部側に設けた上側紙紐挿通部に延在すると共に、前記第１の側面の古新聞接触面と反対側面において当該第１の側面の下側縁部の長手方向他方の端部側に設けた下側紙紐挿通部から前記第１の側面の前記第１の上側折り返し部の長手方向他方の端部側に設けた上側紙紐挿通部に延在し、かつ前記第２の側面の前記第２の上側折り返し部の古新聞接触面と反対側面において当該第２の側面の下側縁部の長手方向一方の端部側に設けた下側紙紐挿通部から当該第２の側面の前記第２の上側折り返し部の長手方向一方の端部側に設けた上側紙紐挿通部に延在すると共に、前記第２の側面の古新聞接触面と反対側面において当該第２の側面の下側縁部の長手方向他方の端部側に設けた下側紙紐挿通部から当該第２の側面の上側折り返し部の長手方向他方の端部側に設けた上側紙紐挿通部に延在し、
前記紙紐は更に、前記紙袋本体の底面部の古新聞接触面側において、前記第１の側面の一方の下側紙紐挿通部から前記第２の側面の一方の下側紙紐挿通部に延在すると共に、前記第１の側面の他方の下側紙紐挿通部から前記第２の側面の他方の下側紙紐挿通部に延在し、
前記第１の側面の各上側折り曲げ部に設けた上側紙紐挿通部と他方の上側紙紐挿通部から所定の長さだけ紙紐が導出しており、かつ
前記第１の側面か前記第２の側面の一方の側面から導出した紙紐は、そのままループ状をなし、他方の側面から導出した紙紐はその端部が結ばれることでループ状をなし、
前記古新聞を所定の高さまで収容し、前記第１の側面から延在するループ状紙紐部と前記第２の側面から延在するループ状紙紐部とを更に互いに結わえた状態において、前記ループ状紙紐部同士を結わえた部分を取っ手代わりにして前記紙紐付古新聞回収用紙袋ごと持ち運び可能な持ち運び部が更に形成されるのに十分な長さを前記紙紐が有したことを特徴としている。
【００１６】
また、本発明の請求項３に係る紙紐付古新聞回収用紙袋は、
読み終えて折りたたんだ古新聞を多数枚重ねて収容することが可能な四角筒形で上部が開口し下部が矩形状の底面となっている紙でできた紙袋本体と、前記紙袋本体に備わり古新聞を多数枚重ねた状態で前記紙袋本体と共に持ち運び可能な紙紐を有する紙紐付古新聞回収用紙袋であって、
前記紙袋本体は、古新聞を折りたたんだ状態で長さの長い両横縁部にそれぞれ内側が接触する第１の側面及び第２の側面と、長さの短い両側縁部にそれぞれ内側が接触する第３の側面及び第４の側面を有すると共に、前記第１の側面乃至第４の側面から下側にそれぞれ延在した第１の延在面乃至第４の延在面を互いに重ね合わせて当該重ね合わせ部の所定領域を付着させたことで形成される底面部を有し、
少なくとも前記第１の側面と第２の側面の上側縁は所定の幅で折り返されて第１の上側折り返し部と第２の上側折り返し部を有し、
前記第１の側面及び第２の側面の下側縁部近傍には、それぞれ各下側縁部の両端からほぼ同一の所定距離だけ離れた位置に下側紙紐挿通部が２カ所ずつ備わっており、かつ前記第１の側面の第１の上側折り返し部及び第２の側面の第２の上側折り返し部にも、前記各上側折り返し部のそれぞれの上端縁部において両端からほぼ同一の所定距離だけ離れた位置に上側紙紐挿通部が２カ所ずつ備わっており、
更には前記第１の側面及び第２の側面のそれぞれに設けられた前記２つの下側紙紐挿通部と２つの上側紙紐挿通部の各々のうち、前記第１の側面の幅方向一方の側縁に近い側の下側紙紐挿通部と上側紙紐挿通部を結ぶ仮想線及び幅方向他方の側縁に近い側の下側紙紐挿通部と上側紙紐挿通部を結ぶ仮想線のそれぞれの所定位置に２つの側面紙紐挿通部が備わると共に、前記第２の側面の幅方向一方の側縁に近い側の下側紙紐挿通部と上側紙紐挿通部を結ぶ仮想線及び幅方向他方の側縁に近い側の下側紙紐挿通部と上側紙紐挿通部を結ぶ仮想線のそれぞれの所定位置に２つの側面紙紐挿通部が備わっており、
前記紙紐は、１本の紙紐の両端部を結び合わせて構成されており、当該紙紐は、前記第１の側面の古新聞接触面と反対側面において当該第１の側面の下側縁部の長手方向一方の端部側に設けた下側紙紐挿通部からこれに最も近い前記側面紙紐挿通部まで延在した後、当該側面紙紐挿通部を通って前記第１の側面の古新聞接触面側において前記側面紙紐挿通部から前記第１の側面の前記第１の上側折り返し部の長手方向一方の端部側に設けた上側紙紐挿通部に延在すると共に、
前記第１の側面の古新聞接触面と反対側面において当該第１の側面の下側縁部の長手方向他方の端部側に設けた下側紙紐挿通部からこれに最も近い前記側面紙紐挿通部まで延在した後、当該側面紙紐挿通部を通って前記第１の側面の古新聞接触面側において前記側面紙紐挿通部から前記第１の側面の前記第１の上側折り返し部の長手方向他方の端部側に設けた上側紙紐挿通部に延在し、かつ
前記第２の側面の古新聞接触面と反対側面において当該第２の側面の下側縁部の長手方向一方の端部側に設けた下側紙紐挿通部からこれに最も近い前記側面紙紐挿通部まで延在した後、当該側面紙紐挿通部を通って前記第２の側面の古新聞接触面側において前記側面紙紐挿通部から前記第２の側面の第２の上側折り返し部の長手方向一方の端部側に設けた上側紙紐挿通部に延在すると共に、
前記第２の側面の古新聞接触面と反対側面において当該第２の側面の下側縁部の長手方向他方の端部側に設けた下側紙紐挿通部からこれに最も近い前記側面紙紐挿通部まで延在した後、当該側面紙紐挿通部を通って前記第２の側面の古新聞接触面側において前記側面紙紐挿通部から前記第２の側面の前記第２の上側折り返し部の長手方向他方の端部側に設けた上側紙紐挿通部に延在し、
前記紙紐は更に、前記紙袋本体の底面部の古新聞接触面側において、前記第１の側面の一方の下側紙紐挿通部から前記第２の側面の一方の下側紙紐挿通部に延在すると共に、前記第１の側面の他方の下側紙紐挿通部から前記第２の側面の他方の下側紙紐挿通部に延在し、かつ
前記第１の側面の各上側折り曲げ部に設けた上側紙紐挿通部と他方の上側紙紐挿通部から所定の長さだけ紙紐が導出しており、かつ
前記第１の側面か前記第２の側面の一方の側面から導出した紙紐は、そのままループ状をなし、他方の側面から導出した紙紐はその端部が結ばれることでループ状をなし、
前記古新聞を所定の高さまで収容し、前記第１の側面から延在するループ状紙紐部と前記第２の側面から延在するループ状紙紐部とを更に互いに結わえた状態において、前記ループ状紙紐部同士を結わえた部分を取っ手代わりにして前記紙紐付古新聞回収用紙袋ごと持ち運び可能な持ち運び部が更に形成されるのに十分な長さを前記紙紐が有したことを特徴としている。
【００１７】
また、本発明の請求項４に係る紙紐付古新聞回収用紙袋は、
読み終えて折りたたんだ古新聞を多数枚重ねて収容することが可能な四角筒形で上部が開口し下部が矩形状の底面となっている紙でできた紙袋本体と、前記紙袋本体に備わり古新聞を多数枚重ねた状態で前記紙袋本体と共に持ち運び可能な紙紐を有する紙紐付古新聞回収用紙袋であって、
前記紙袋本体は、古新聞を折りたたんだ状態で長さの長い両横縁部にそれぞれ内側が接触する第１の側面及び第２の側面と、長さの短い両側縁部にそれぞれ内側が接触する第３の側面及び第４の側面を有すると共に、前記第１の側面乃至第４の側面から下側にそれぞれ延在した第１の延在面乃至第４の延在面を互いに重ね合わせて当該重ね合わせ部の所定領域を付着させたことで形成される底面部を有し、
少なくとも前記第１の側面と第２の側面の上側縁は所定の幅で折り返されて第１の上側折り返し部と第２の上側折り返し部を有し、
前記第１の側面及び第２の側面の下側縁部近傍には、それぞれ各下側縁部の両端からほぼ同一の所定距離だけ離れた位置に下側紙紐挿通部が２カ所ずつ備わっており、かつ前記第１の側面の第１の上側折り返し部及び第２の側面の第２の上側折り返し部にも、前記各上側折り返し部のそれぞれの上端縁部において両端からほぼ同一の所定距離だけ離れた位置に上側紙紐挿通部が２カ所ずつ備わっており、
更には前記第１の側面及び第２の側面のそれぞれに設けられた前記２つの下側紙紐挿通部と２つの上側紙紐挿通部の各々のうち、前記第１の側面の幅方向一方の側縁に近い側の下側紙紐挿通部と上側紙紐挿通部を結ぶ仮想線及び幅方向他方の側縁に近い側の下側紙紐挿通部と上側紙紐挿通部を結ぶ仮想線のそれぞれの所定位置に２つの側面紙紐挿通部が備わると共に、前記第２の側面の幅方向一方の側縁に近い側の下側紙紐挿通部と上側紙紐挿通部を結ぶ仮想線及び幅方向他方の側縁に近い側の下側紙紐挿通部と上側紙紐挿通部を結ぶ仮想線のそれぞれの所定位置に２つの側面紙紐挿通部が備わっており、
前記紙紐は、１本の紙紐の両端部を結び合わせて構成されており、当該紙紐は、前記第１の側面の古新聞接触面において当該第１の側面の下側縁部の長手方向一方の端部側に設けた下側紙紐挿通部からこれに最も近い前記側面紙紐挿通部まで延在した後、当該側面紙紐挿通部を通って前記第１の側面の古新聞接触面と反対側面において前記側面紙紐挿通部から前記第１の側面の第１の上側折り返し部の長手方向一方の端部側に設けた上側紙紐挿通部に延在すると共に、
前記第１の側面の古新聞接触面において当該第１の側面の下側縁部の長手方向他方の端部側に設けた下側紙紐挿通部からこれに最も近い前記側面紙紐挿通部まで延在した後、当該側面紙紐挿通部を通って前記第１の側面の古新聞接触面と反対側面において前記側面紙紐挿通部から前記第１の側面の第１の上側折り返し部の長手方向他方の端部側に設けた上側紙紐挿通部に延在し、かつ
前記第２の側面の古新聞接触面において当該第２の側面の下側縁部の長手方向一方の端部側に設けた下側紙紐挿通部からこれに最も近い前記側面紙紐挿通部まで延在した後、当該側面紙紐挿通部を通って前記第２の側面の古新聞接触面と反対側面において前記側面紙紐挿通部から前記第２の側面の第２の上側折り返し部の長手方向一方の端部側に設けた上側紙紐挿通部に延在すると共に、
前記第２の側面の古新聞接触面において当該第２の側面の下側縁部の長手方向他方の端部側に設けた下側紙紐挿通部からこれに最も近い前記側面紙紐挿通部まで延在した後、当該側面紙紐挿通部を通って前記第２の側面の古新聞接触面と反対側面において前記側面紙紐挿通部から前記第２の側面の第２の上側折り返し部の長手方向他方の端部側に設けた上側紙紐挿通部に延在し、
前記紙紐は更に、前記紙袋本体の底面部の古新聞接触面側と反対側面において、前記第１の側面の一方の下側紙紐挿通部から前記第２の側面の一方の下側紙紐挿通部において延在すると共に、前記第１の側面の他方の下側紙紐挿通部から前記第２の側面の他方の下側紙紐挿通部に延在し、
前記第１の側面の各上側折り曲げ部に設けた上側紙紐挿通部と他方の上側紙紐挿通部から所定の長さだけ紙紐が導出しており、かつ
前記第１の側面か前記第２の側面の一方の側面から導出した紙紐は、そのままループ状をなし、他方の側面から導出した紙紐はその端部が結ばれることでループ状をなし、
前記古新聞を所定の高さまで収容し、前記第１の側面から延在するループ状紙紐部と前記第２の側面から延在するループ状紙紐部とを更に互いに結わえた状態において、前記ループ状紙紐部同士を結わえた部分を取っ手代わりにして前記紙紐付古新聞回収用紙袋ごと持ち運び可能な持ち運び部が更に形成されるのに十分な長さを前記紙紐が有したことを特徴としている。
【００１８】
また、本発明の請求項５に係る紙紐付古新聞回収用紙袋は、請求項１乃至請求項４の何れかに記載の紙紐付古新聞回収用紙袋において、
前記紙紐が、前記第１の側面の一方の下側紙紐挿通部から前記第２の側面の一方の下側紙紐挿通部に延在すると共に、前記第１の側面の他方の下側紙紐挿通部から前記第２の側面の他方の下側紙紐挿通部に延在する代わりに、前記第１の側面の一方の下側紙紐挿通部から前記第２の側面の他方の下側紙紐挿通部に延在すると共に、前記第１の側面の他方の下側紙紐挿通部から前記第２の側面の一方の下側紙紐挿通部に延在することを特徴としている。
【００１９】
また、本発明の請求項６に係る紙紐付古新聞回収用紙袋は、請求項１乃至請求項５の何れかに記載の紙紐付古新聞回収用紙袋において、
前記第１の側面の２つの上側紙紐挿通部の間隔は、当該第１の側面の２つの下側紙紐挿通部の間隔より短くなっており、かつ前記第２の側面の２つの上側紙紐挿通部の間隔は、当該第２の側面の２つの下側紙紐挿通部の間隔より短くなっていることを特徴としている。
【００２０】
また、本発明の請求項７に係る紙紐付古新聞回収用紙袋は、請求項６に記載の紙紐付古新聞回収用紙袋において、
前記上側紙紐挿通部は、前記第１の側面及び前記第２の側面の上側折り返し部においてＶ字状をなす切り込み線を利用した折り返しからなり、この切り込みの折り返し縁部の少なくとも一部が前記各上側折り返し部の幅方向内側において前記紙紐と接するように前記切り込みを前記各上側折り返し部の内側に折り返すことで形成されていることを特徴としている。
【００２１】
また、本発明の請求項８に係る紙紐付古新聞回収用紙袋は、請求項１乃至請求項７の何れかに記載の紙紐付古新聞回収用紙袋において、
前記下側紙紐挿通部は、前記第１の側面及び前記第２の側面の下側縁部に形成された逆Ｖ字状をなす切り込み線を利用してこれを前記古新聞回収用紙袋の底面の新聞接触面側であって前記紙紐が延在する部分の下側に三角形に折り返して形成されていることを特徴としている。
【００２２】
また、本発明の請求項９に係る紙紐付古新聞回収用紙袋は、請求項１乃至請求項７の何れかに記載の紙紐付古新聞回収用紙袋において、
前記下側紙紐挿通部は、前記第１の側面及び前記第２の側面の下側縁部と前記紙袋本体の底面部の前記第１の側面及び第２の側面との接続縁部におけるＶ字状をなす切り込み線を折り返して形成され、前記切り込み線は、前記各第１の側面及び第２の側面の下側縁部と前記紙袋本体の底面部の前記第１の側面及び第２の側面との接続部分において内側に折り返すことで形成される折り返し縁部の少なくとも一部に前記紙紐が接するように形成されていることを特徴としている。
【００２３】
また、本発明の請求項１０に係る紙紐付古新聞回収用紙袋は、請求項１乃至請求項９の何れかに記載の紙紐付古新聞回収用紙袋において、
前記第１の側面乃至第４の側面が、前記古新聞の代わりに読み終えて廃棄する雑誌を重ねて入れることができる寸法となったことを特徴としている。
【００２４】
また、本発明の請求項１１に係る紙紐付古新聞回収用紙袋は、請求項１乃至請求項９の何れかに記載の紙紐付古新聞回収用紙袋において、
前記第１の側面乃至第４の側面が、前記古新聞の代わりに開封した封筒や当該古新聞よりも小さいサイズの雑紙を入れることができる寸法となったことを特徴としている。
【００２５】
また、本発明の請求項１２に係る紙紐付古新聞回収用紙袋は、請求項１乃至請求項１１の何れかに記載の紙紐付古新聞回収用紙袋において、
前記第１の側面か前記第２の側面の一方の側面から導出した紙紐がそのままループ状をなしかつ他方の側面から導出した紙紐はその端部が結ばれることでループ状をなす代わりに、前記２つのループ状の紙紐には結び部を有しておらず、当該結び部は、前記２つのループ状以外の紙紐の延在位置において備わっていることを特徴としている。
【発明の効果】
【００２６】
本発明によると、読み終えた大量の古新聞や雑誌、チラシ、開封した封筒、古紙等を再生紙として再利用するために回収業者の指定する場所まで苦労せずにまとめて運んでいくことができる紙紐付古新聞回収用紙袋を提供することができる。
【図面の簡単な説明】
【００２７】
【図１】本発明の第１の実施形態に係る紙紐付古新聞回収用紙袋を示す斜視図である平面図である。
【図２】図１に示した紙紐付古新聞回収用紙袋に古新聞を大量に積み上げた状態で紙紐の配索が分かるように一方の側面から透過的に示す側面図である。
【図３】図１に示した紙紐付古新聞回収用紙袋に収容する古新聞を示す斜視図である。
【図４】図１に示した紙紐付古新聞回収用紙袋に古新聞を大量に積み上げた状態でループ状の紙紐を互いに結んで古新聞回収場所に運んでいける状態を透過的に示す斜視図である。
【図５】図１に示した紙紐付古新聞回収用紙袋の上側紙紐挿通部を示す斜視図である。
【図６】図１に示した紙紐付古新聞回収用紙袋の一方の側面の下側紙紐挿通部を示す斜視図である。
【図７】本実施形態に係る紙紐付古新聞回収用紙袋の作成手順を示す図である。
【図８】図７に続く紙紐付古新聞回収用紙袋の作成手順を示す図である。
【図９】図８に続く紙紐付古新聞回収用紙袋の作成手順を示す図である。
【図１０】図９に続く紙紐付古新聞回収用紙袋の作成手順を示す図である。
【図１１】図１０に続く紙紐付古新聞回収用紙袋の作成手順を示す図である。
【図１２】図１１に続く紙紐付古新聞回収用紙袋の作成手順を示す図である。
【図１３】図１２に続く紙紐付古新聞回収用紙袋の作成手順を示す図である。
【図１４】図１３に続く紙紐付古新聞回収用紙袋の作成手順を示す図である。
【図１５】図１４に続く紙紐付古新聞回収用紙袋の作成手順を示す図である。
【図１６】図１０に示す状態で紙紐付古新聞回収用紙袋を完成させた後の紙紐が延在する経路を２枚重ね状態の一方の面から二点鎖線（想像線）で示した説明図である。
【図１７】図１０に示す状態で紙紐付古新聞回収用紙袋を完成させた後の紙紐が延在する経路を２枚重ね状態の他方の面から二点鎖線（想像線）で示した説明図である。
【図１８】本発明の第２の実施形態に係る紙紐付古新聞回収用紙袋の紙紐を除いて紙袋本体を展開した状態を、紙袋作成の際に必要な谷折り線や山折り線を実線や一点鎖線で示すと共に、紙紐付古新聞回収用紙袋を作成した状態において延在する紙帯紐の幅方向中央部の経路を二点鎖線で示す斜視図である平面図である。
【図１９】本発明の第２の実施形態に係る紙紐付古新聞回収用紙袋一方の斜め上側方から示す斜視図である。
【図２０】本発明の第２の実施形態に係る紙紐付古新聞回収用紙袋を図１９とは異なる方向の斜め上側方から示す斜視図である。
【図２１】本発明の第２の実施形態に係る紙紐付古新聞回収用紙袋の下側紙紐通し穴（図２１（ａ），（ｂ））と、上側紙通し穴及び紙袋の側面に設けられた側面紙通し穴（図２１（ｃ），（ｄ））をそれぞれ部分的に拡大して示す図であり、ドットで示す部分が折り返し部を表している。
【図２２】本発明の第２の実施形態に係る紙紐付古新聞回収用紙袋の変形例を示す図１９に対応する斜視図である。
【図２３】本発明の第２の実施形態に係る紙紐付古新聞回収用紙袋の変形例を示す図２０に対応する斜視図である。
【発明を実施するための形態】
【００２８】
以下、本発明の各実施の形態に係る紙紐付古新聞回収用紙袋１を図面に基づいて詳細に説明する。図１は、本発明の第１の実施形態に係る紙紐付古新聞回収用紙袋を示す斜視図である平面図である。また、図２は、図１に示した紙紐付古新聞回収用紙袋に古新聞を大量に積み上げた状態で紙紐の配索が分かるように一方の側面から透過的に示す側面図である。また、図３は、図１に示した紙紐付古新聞回収用紙袋に収容する古新聞を示す斜視図である。また、図４は、図１に示した紙紐付古新聞回収用紙袋に古新聞を大量に積み上げた状態でループ状の紙紐を互いに結んで古新聞回収場所に運んでいける状態を透過的に示す斜視図である。
【００２９】
本実施形態に係る紙紐付古新聞回収用紙袋（以下、適宜「紙紐付古新聞回収用紙袋」又は「古新聞回収用紙袋」若しくは単に「紙袋」とする）１は、読み終えて折りたたんだ古新聞を多数枚重ねて収容することが可能な四角筒形で上部が開口し下部が矩形状の底面となっている紙でできた紙袋本体１０と、紙袋本体１０に備わり古新聞を多数枚重ねた状態で紙袋本体１０と共に持ち運び可能な紙紐９００を有する紙紐付古新聞回収用紙袋である。
【００３０】
紙袋本体１０は、古新聞を折りたたんだ状態で長さの長い両横縁部にそれぞれ内側が接触する第１の側面１００及び第２の側面２００と、長さの短い両側縁部にそれぞれ内側が接触する第３の側面３００及び第４の側面４００を有する。更に紙袋本体１０は、第１の側面１００乃至第４の側面４００から下側にそれぞれ延在した第１の延在面乃至第４の延在面１０１，２０１，３０１，４０１を互いに重ね合わせて当該重ね合わせ部の所定領域を付着させたことで形成される底面部５００を有している。
【００３１】
そして、紙袋本体１０の第１の側面１００と第２の側面２００の上側縁は所定の幅で折り返されて第１の上側折り返し部１５０と第２の上側折り返し部２５０となっている。
【００３２】
また、紙袋本体１０の第１の側面１００及び第２の側面２００の下側縁部近傍には、それぞれ各下側縁部の両端からほぼ同一の所定距離だけ離れた位置に下側紙紐挿通部１１０，１２０，２１０，２２０が２カ所ずつ備わっている。なお、図中ドットで示す領域が、切り込み線を利用して紙を折り返して二重にした部分である。
【００３３】
更に、紙袋本体１０の第１の側面１００の第１の上側折り返し部１５０及び第２の側面２００の第２の上側折り返し部２５０にも、各上側折り返し部１５０，２５０のそれぞれの上端縁部において両端からほぼ同一の所定距離だけ離れた位置に上側紙紐挿通部１６０，１７０，２６０，２７０が２カ所ずつ備わっている。なお、図中ドットで示す領域が、切り込み線を利用して紙を折り返して二重にした部分である。
【００３４】
紙紐付古新聞回収用紙袋１の紙紐９００は、１本の紙紐９００の両端部９０１，９０２を結び合わせて構成されている。紙紐９００は、第１の側面１００の古新聞接触面において第１の側面１００の下側縁部の長手方向一方の端部側に設けた下側紙紐挿通部１１０と第１の側面１００の第１の上側折り返し部１５０の長手方向一方の端部側に設けた上側紙紐挿通部１６０との間に延在する。
【００３５】
紙紐９００は更に、第１の側面１００の古新聞接触面において第１の側面１００の下側縁部の長手方向他方の端部側に設けた下側紙紐挿通部１２０と第１の側面１００の第１の上側折り返し部１５０の長手方向他方の端部側に設けた上側紙紐挿通部１７０との間に延在している。
【００３６】
そして、紙紐９００は、第２の側面２００の第２の上側折り返し部２５０の古新聞接触面において、第２の側面２００の下側縁部の長手方向一方の端部側に設けた下側紙紐挿通部２１０と第２の側面２００の第２の上側折り返し部２５０の長手方向一方の端部側に設けた上側紙紐挿通部２６０との間に延在している。
【００３７】
また、紙紐９００は、第２の側面２００の古新聞接触面において第２の側面２００の下側縁部の長手方向他方の端部側に設けた下側紙紐挿通部２２０と第２の側面２００の上側折り返し部２５０の長手方向他方の端部側に設けた上側紙紐挿通部２７０との間に延在している。
【００３８】
紙紐９００は、更に第１の側面１００の一方の下側紙紐挿通部１１０から第２の側面２００の一方の下側紙紐挿通部２１０に紙袋本体１０の底面部５００の古新聞接触面側と反対側面に延在すると共に、第１の側面１００の他方の下側紙紐挿通部１２０から第２の側面２００の他方の下側紙紐挿通部２２０まで紙袋本体１０の底面部５００の古新聞接触面側と反対側面に延在している。
【００３９】
更に紙紐９００は、第１の側面１００の上側折り曲げ部１５０に設けた一方の上側紙紐挿通部１６０と他方の上側紙紐挿通部１７０から所定の長さだけ導出している。
【００４０】
そして、第１の側面１００から上側に導出した２本の紙紐９００は、第１のループ状紙紐部９１０をなし、第２の側面２００から上側に導出した紙紐９００は、第２のループ状紙紐部９２０をなしている。
【００４１】
そして、古新聞５０を所定の高さまで収容し、第１の側面１００から延在する第１のループ状紙紐部９１０と第２の側面２００から延在する第２のループ状紙紐部９２０とを更に互いに結わえた状態において、このループ状紙紐部９１０，９２０と同士を結わえた部分を取っ手代わりにして紙紐付古新聞回収用紙袋ごと持ち運び可能な持ち運び用握り部９５０が更に形成されるのに十分な長さを有している（図４参照）。
【００４２】
なお、本実施形態においては、第１の側面１００の２つの上側紙紐挿通部１１０，１２０の間隔は、第１の側面１００の２つの下側紙紐挿通部１６０，１７０の間隔より短くなっており、かつ第２の側面２００の２つの上側紙紐挿通部２１０，２２０の間隔は、第２の側面２００の２つの下側紙紐挿通部２６０，２７０の間隔より短くなっている。
【００４３】
図５は、図１に示した紙紐付古新聞回収用紙袋の上側紙紐挿通部を示す斜視図である。本実施形態においては、上側紙紐挿通部１６０，１７０,２６０，２７０は、第１の側面１００及び第２の側面２００の各上側折り返し部１５０，２５０において紙紐９００が延在する方向に合わせて斜めに形成された切り込み線を利用してこれを各上側折り返し部１５０，２５０の内側に折り返すことで形成されている。なお、図中ドットで示す領域が、上述した各上側紙紐挿通部１６０，１７０，２６０，２７０における折り返し部分となっている。
【００４４】
図６は、図１に示した紙紐付古新聞回収用紙袋の一方の側面の下側紙紐挿通部を示す斜視図である。本実施形態においては、下側紙紐挿通部１１０，１２０,２１０，２２０は、第１の側面１００及び第２の側面２００の各下側縁部１５０，２５０に形成された逆Ｖ字状をなす切り込み線を利用してこれを古新聞回収用紙袋の底面の新聞接触面側であって紙紐９００が延在する部分の下側に三角形に折り返して形成されている。なお、図中ドットで示す領域が、上述した各下側紙紐挿通部１１０，１２０，２１０，２２０における折り返し部分となっている。
【００４５】
続いて、紙紐付古新聞回収用紙袋１の具体的な作成方法について説明する。ここで収容する古新聞５０は読み終えて四つ折りにした状態の古新聞を基準として考える。そして、この四つ折りにした状態の古新聞の平面視長方形の長辺をｘ、短辺をｙと定義する。以下、紙紐付古新聞回収用紙袋１の作成手順について順番に説明していく。
【００４６】
紙紐付古新聞回収用紙袋１の特徴は、１枚の大きな紙１０００を折り畳んで所定のカ所に切り込みを入れて紙紐９００を通すたけの簡単な作業で作成できることに特徴がある。その手順は以下の通りである。なお、以下の説明において上下左右の方向については各図面に示す方向を基準とする。
【００４７】
最初に、折り畳んで紙袋本体１０を作るための大きな紙１０００を用意する（図７参照）。この紙１０００の厚さはそれほど厚い必要はなく、折り畳み易い程度の厚さで十分である。但し、紙紐付古新聞回収用紙袋１を作成した後に古新聞５０を大量に積み上げて収容しても破けない程度の紙の材質を選定することが重要である。
【００４８】
紙１０００の大きさは長方形の紙であって長辺が２ｘ＋２ｙ＋ｗ、短辺がｙ＋ｚ＋ｆの大きさである。なお、ｗとは、紙１０００を最初に折り畳む際に側面の一辺に形成されるのりしろの幅である。また、ｚとは、紙袋本体１０を作成したときの高さである。また、ｆとは、紙袋本体の四角い上側開口部（古新聞５０を収容ししていく収容口）の４つの各辺から本実施形態の場合内側に折り返される重ね折り部分の幅を言う。
【００４９】
また、紙袋本体１０において、ｘとｙを厳密に定義すると古新聞５０を入れる際に古新聞５０とピッタリとなってしまい入れ難くなってしまうので、実際のところはそれぞれ多少大きくしてｘ＋Δｘ、ｙ＋Δｙとするのが良い。しかしながら、以下の説明では理解の容易のために単にｘとｙのみを使用する。
【００５０】
本実施形態の場合、重ね折り部分の幅ｆは、紙袋本体を作成した状態でその下端が紙袋本体の底面に達するまでの長さとする。即ち、ｆは、ｚよりも僅かに短い程度の長さとする。
【００５１】
続いて、糊しろ部１０１０を折り曲げて作成する（図８参照）。糊しろ部１０１０は、紙１０００の上辺全体を下辺側に向かって平行になるように幅ｗだけ折り返す。
【００５２】
次いで、この折り返した部分に上側から糊を塗り、折り返してできた新たな下辺と上辺とが一致するように上辺を折り返して、のりしろに上辺から幅ｗだけの領域をくっつけて剥がれないようにする。
【００５３】
続いて、図８に示す状態の上辺を下辺に向かって重ね合わせるように半分に折り返す（図９参照）。これによって２枚に折り重なった２枚重ね部１２００が形成される。この２枚重ね部１２００の横辺の長さは、ｚ+ｙ+ｆとなり、縦辺の長さは、ｘ+ｙとなる。
【００５４】
続いて、図９に示す状態から紙の左辺全体を右辺側に向かって平行となるように幅ｆだけ折り返す（図１０参照）。これによって４枚に折り重なった４枚重ね部１４００が形成される。この４枚重ね部１４００の横辺の長さは、ｚ+ｆとなり、縦辺の長さは変わらずｘ+ｙのままである。
【００５５】
続いて、図１０に示す状態から、右辺から距離ｙだけ離れた部分まで右辺全体を左辺に向かってｙだけ平行に折り返し（図１１（ａ）参照）、更にこの図１１（ａ）に示す状態から上限を下辺に向かってｙだけ平行に折り返す（図１１（ｂ）参照）。
【００５６】
次いで、図１１に示す折り返した状態から図１２に示すまで再び広げる。これによって、再び図１０に示す状態に戻るが、それまでの折り返し作業によって図１２に示すように連続する縦折り線１２１１と１２１２が形成されると共に、連続する横折り線１２２１と１２２２が形成される。そしてこの状態で２枚に重なった２枚重ね部１２００の上側の紙の縦折り線１２１２と横折り線１２２２との交差する点と２枚重ね部１２００の右上の頂点を結ぶ斜め折り線１３０１を形成する。
【００５７】
次いで、図１２に示す状態のまま、図１３に示すように、一方の上側紙紐挿通部１６０，２６０を作るための切り込み線１４０１を形成すると共に、他方の上側紙紐挿通部１７０，２７０を作るための切り込み線１４０２を形成する。これと同時に、一方の下側紙紐挿通部１１０，２１０を作るためのＶ字型切り込み線１５０１を形成すると共に、他方の下側紙紐挿通部１２０，２２０を作るためのＶ字型切り込み線１５０２を形成する。この際、これらの切り込み線は、２枚重ね部１２００の上側の紙と下側の紙の双方に同時に形成させる。
【００５８】
次いで、図１４に示すように、２枚重ね部１２００を裏返した後、上述した切り込み線の形成された面の右側に隣接する上側の紙の長方形領域１２３０に互いに連続する右上がりの斜め折り線１３１１と１３１２を形成すると共に、これと交差するように左上がりの斜め折り線１３２１と１３２２を形成する。これと同じく、上側の紙の長方形領域１２３０の下側に隣接する正方形領域１２４０に斜め折り線１３１１と１３１２と同じように右上がりの斜め折り線１３３１をこの正方形領域１２４０の対角線上に形成する。
【００５９】
次いで、図１５に示すように、２枚重ね部１２００の上下の紙に同時に形成された切り込み線１４０１と１４０２の部分をこの上下の上の間に折り返して紙紐ガイド部１４１１と１４１２を形成する。そして、縦折り線と横折り線を山折りにすると共に斜め折り線の一部を谷折り、残りの全てを山折りすることで底面が形成され上面が開口した紙袋本体の形が出来上がる。そして、底面の重なりあった紙の部分をのり付けする。
【００６０】
更に、第１の側面及び第２の側面の下側縁部の所定位置を切断してできた逆Ｖ字状をなす切り込み線の部分をそれぞれ古新聞回収用紙袋の底面の新聞接触面側であって紙紐が延在する部分の下側に三角形に折り返すことで合計４つの側面視三角形をなす下側紙紐挿通部を形成する。以上のようにして簡単な手作業で紙紐付古新聞回収用紙袋の紙袋本体１０を完成させる。
【００６１】
図１６は、図１０に示す状態で紙紐付古新聞回収用紙袋を完成させた後の紙紐９００が延在する経路を２枚重ね状態の一方の面から二点鎖線（想像線）で示した説明図であり、図１７は、図１０に示す状態で紙紐付古新聞回収用紙袋を完成させた後の紙紐９００が延在する経路を２枚重ね状態の他方の面から二点鎖線（想像線）で示した説明図である。
【００６２】
それぞれの上側紙紐挿通部の形成に伴ってできた更なる折り返し部（図１５乃至図１７にドットの領域で示す部分参照）においては、２枚の折り返し縁部が縦に並んだ状態で２組形成されているので、紙紐付古新聞回収用紙袋に古新聞を大量に積み上げた後、２つの紙紐同士を縛って通って代わりのループを新たに作り、古新聞回収用場所にこれを持って行く際に古新聞の重みで紙紐が強く引っ張られる際に上側紙紐挿通部の周囲が破けてこの破けた部分が広がるのを防止する役目を果たしている。
【００６３】
また、それぞれの下側紙紐挿通部の形成に伴ってできた更なる折り返し部の役割は以下の通りである。紙紐付古新聞回収用紙袋に古新聞を大量に積み上げた後、２つの紙紐同士を縛って通って代わりのループを新たに作り、古新聞回収用場所にこれを持って行く際に古新聞の重みで紙紐が強く引っ張られる際に紙袋の側面近くの古新聞の縁部を回り込む紙紐と１番下側の古新聞等で挟まれる部分がちょうど二重の更なる折り返し部となって、この部分の紙紐の張力によって下側紙紐挿通部の周囲が破けてこの破けた部分が広がるのを防止する役目を果たしている。
【００６４】
なお、上述した上側紙紐挿通部と下側紙紐挿通部を形成するための切り込み線は、紙袋本体を作成した後に形成させるのではなく、紙袋本体を作成する前の大きな１枚の紙の段階で所定の部分に形成しておき、古新聞回収用紙袋の作成工程においてハサミやカッターなどの刃物を用いることなく紙袋本体を作成した後これに紙紐を通して古新聞回収用紙袋を完成させても良い。このようにすることで、切断工程を経ないで紙紐付古新聞回収用紙袋を作成することができるので、この作成工程を障害者施設等で安全に行うことが可能になり、障害者にとって働き易い環境を提供することができる。
【００６５】
続いて、紙袋本体に紙紐を通す手順の一例について、図１及び図２を参考にして具体的に説明する。最初に一本の古新聞をまとめて運ぶ際の重量に耐えられるしっかりした長い紙紐を用意する。そして、紙紐の一方の端部を紙袋本体の第１の上側折り返し部の長手方向一方の端部側に設けた上側紙紐挿通部から差し込み、第１の上側折り返し部の２枚の紙の間を通して第１の側面の下側縁部の長手方向一方の端部側に設けた下側紙紐挿通部から紙紐の一方の端部を導出させる。この作業において紙紐の一方の端部を細い金属棒の基端側に設けた上側紙紐挿通部と下側紙紐挿通部を通り抜けることができる程度の大きさの小さいクリップに挟みながら金属棒を上側紙紐挿通部から下側紙紐挿通部めがけて差し込んで下側紙紐挿通部から金属棒の先端を握って引っ張り出すことでその基端側のクリップに挟んだ紙紐の先端を下側紙紐の挿通部から容易に導出することができる。
【００６６】
続いて、第１の側面の下側縁部の長手方向一方の端部側に設けた下側紙紐挿通部から導出させた紙紐を紙袋本体の底面の新聞紙収容側と反対側に沿って第２の側面の下側縁部の長手方向一方の端部側に設けた下側紙紐挿通部にまで延在させ、この下側紙紐挿通部から第２の側面の上側折り返し部の重なった紙と紙の間に導入させ、第２の側面の上側折り返し部の長手方向一方の端部側に設けた上側紙紐挿通部から紙紐の一端を導出させる。この作業の際においても上述した作業で使った金属棒の基端側に備わったクリップに紙紐の一端を挟んだまま行うと楽に素早く作業できる。
【００６７】
続いて、第２の側面の上側折り返し部において後に古新聞回収用紙袋に古新聞を十分な長さのループを紙紐で作る。このループの長さは、古新聞を所定の高さまで収容した状態で後述するもう一方のループと互いに結わえた状態において、紙紐付古新聞回収用紙袋ごと持ち運び可能な持ち運び部が更に形成されるのに十分な長さとする。
【００６８】
そして、このようなループを第２の側面の上側折り返し部に作った後に紙紐の一方の端部を紙袋本体の第２の上側折り返し部の長手方向他方の端部側に設けた上側紙紐挿通部から差し込み、内側が紙袋本体の底面まで達した第１の上側折り返し部の２枚の紙の間を通って第２の側面の下側縁部の長手方向他方の端部側に設けた下側紙紐挿通部から紙紐の一方の端部を導出させる。この作業の際においても上述した作業で使った金属棒の基端側に備わったクリップに紙紐の一端を挟んだまま行うと楽に素早く作業できる。
【００６９】
続いて、第２の側面の下側縁部の長手方向他方の端部側に設けた下側紙紐挿通部から導出させた紙紐を紙袋本体の底面の新聞紙収容側と反対側に沿って第１の側面の下側縁部の長手方向他方の端部側に設けた下側紙紐挿通部にまで延在させ、この下側紙紐挿通部から第１の側面の上側折り返し部の重なった紙と紙の間に導入させ、第１の側面の上側折り返し部の長手方向他方の端部側に設けた上側紙紐挿通部から紙紐の一端を導出させる。この作業の際においても上述した作業で使った金属棒の基端側に備わったクリップに紙紐の一端を挟んだまま行うと楽に素早く作業できる。
【００７０】
そして、紙紐の一方の端部と他方の端部をしっかりと結んで第１の側面の上側折り返し部においても第２の側面の上側折り返し部から上方に伸びたループと同等の形のループを形成させて紙袋本体に紙紐をつける作業を終える。これによって、本実施形態に係る古新聞回収用紙袋を簡単かつ迅速に作成することができる。
【００７１】
この紙紐付古新聞回収用紙袋を作成した後において上述した作成中の紙の折り方の手順によって直接的若しくは二次的にできた山折り部や谷折り部を利用して紙帯紐がきちんとした正規の経路で紙袋に沿って備わった状態を保ちながら紙袋自体を折り畳んでおくことができる。また、紙袋の側面のほぼ中央に形成した４つの側面紙紐挿通部が紙帯紐を拘束して横にずれないようにするので、折り畳んだ状態の古新聞回収用紙袋を、古新聞を収容するために立体的な紙袋状にする際に紙帯紐が正規の経路に延在して紙袋の側面に密着しているので、紙帯紐に何かが引っかかって紙帯紐が切れたり紙袋自体が破れたりするのを確実に防止することができる。
【００７２】
このようにして作成した古新聞回収用紙袋の上側開口部を開いたまま例えばリビングの床などにおいておき、毎日読み終えて不要となった新聞をこの紙袋の中に入れていく。この際、紙袋の寸法が決まっているので、毎回自然と古新聞の向きを合わせながら紙袋の中に入れていくことができる。なお、上述した実施形態に係る古新聞回収用紙袋によると、記号ｆで表す折り返し部分が紙袋本体を作成したときにその上側開口部から内側に向かって第１の側面乃至第４の側面の全てに形成されると共に、この折り返し部の内側に向かった下端部が紙袋本体の底面の上側にまで達しているので、古新聞を積み重ねていく過程においてこの折り返し部の内側が上側開口部から入れていく古新聞を途中で引っかかることなくその下側の古新聞まで確実に重なるようにガイドする役目を果たしている。これによって、重ねていった古新聞同士の間に無駄な隙間が生じることなく、積み重なった古新聞を上から無理やり手で頻繁に押し込むようなことをしなくても１つの古新聞回収用紙袋に１枚でも多くの古新聞を積み重ねて収容することができる。
【００７３】
そして、古新聞回収用紙袋の上端開口部近くまで古新聞が積み上がったら、紙袋に収容した新聞紙が互いに押し付けあって重なった状態で紙袋と一体化して動かなくなる程度まで２本のループ状の紐を例えば駒結びのようにして互いにしっかりと縛る。この２本のループ状の紐は、上述の説明から明らかなように十分な長さを有しているので、このようにすることで駒結びの部分を下端新たな２本のループ状の取っ手部が形成される。そしてこのループ状の取っ手部を使って紙紐でしっかりと縛り上げて一体化して互いにずれなくなった大量の古新聞を古新聞回収用紙袋ごと回収場所に持っていく。
【００７４】
なお、古新聞が必ずしも古新聞回収用紙袋の上端開口部近くまで積み上げられなく紙袋の高さ方向真中それより少し高い程度まで積み上がった状態であっても、第１の側面の上側折り返し部と第２の側面の上側折り返し部からそれぞれ上方に延びたループの部分を上述したように互いに駒結びのようにしてしっかり結ぶことで第１の側面乃至第４の側面の上側折り返し部が積み重ねた古新聞の１番上の古新聞をしっかりと包み込み、積み重ねた古新聞と古新聞回収用紙袋をより一体化させた状態で縛ることができる。
【００７５】
続いて、上述の実施形態に係る紙紐付古新聞回収用紙袋に代表される本発明の作用について説明する。この紙紐付古新聞回収用紙袋によると、読み終えた古新聞を処分するために新聞の配布と同時に配られている古新聞回収用紙袋の中に４つ折りにした古新聞を読み終えた順に重ねていって古新聞が古新聞回収用紙袋の十分積み上げられた後に紙袋ごと市販のビニール紐を用いて縛ってこれを古新聞の回収場所に持っていくようなことをしなくて済む。
【００７６】
古新聞が十分積み上げられた古新聞回収用紙袋をビニール紐で縛るには、それなりの要領と強い力で縛り上げる必要がある。中途半端に縛った状態で大量の古新聞を収容した古新聞回収用紙袋を回収場所に持っていこうとすると、途中でビニール紐が解けて古新聞回収用紙袋から外れてしまい、最悪の場合手に持っていた古新聞回収用紙袋がその開口部を下向きにしたまま一戸建ての住宅の床、マンションの床や通路、エントランス、若しくは回収場所までの道路上に落ちてしまい、せっかく収容した古新聞がその場に散乱してしまうことがある。しかしながら本発明によるとそのようなことが起こる心配はないので大量の古新聞を回収場所まで安心して運んでいくことができる。
【００７７】
また、古新聞がたくさん入った古新聞回収用紙袋の周囲をビニール紐で紙袋の上側から見て十字状に交差させて紙袋の角部で縛っただけでは、手で持つ時にこの十字状の部分に指を入れて握った状態で持ち運べなければならない。この場合、ビニール紐でループ状の取っ手の部分を作ってそれを使って持ち運ぶことができないため、古新聞が満杯となった紙袋の重みが取っ手を握る指の全てに均等にかからず何れかの指に集中してかかってその指を痛めてしまうこともある。しかしながら、本発明に係る古新聞回収用紙袋によると、古新聞を回収場所に持っていく最中に特定の指を痛めてしまいその後の日常生活に支障をきたしてしまうような虞がない。
【００７８】
特に古新聞回収用紙袋をビニール紐で縛るにあたって十分な力で縛ることができない女性や子供、高齢者、手先の不自由な人にとって上述のような不都合が生じる虞がない。
【００７９】
また、古新聞が詰まって重くなった古新聞回収用紙袋の上述したビニール紐による十字状の交差部分にループ状の取っ手を作ろうとすると、紙袋を持った時にバランスよくかつ確実に運ぶことができるようにするために、この交差部分を紙袋の上側から見てちょうど中央になるように形成させた後にしっかりとしたループ状の取っ手を作らなければならず、かなり慣れていないと、このような取っ手を作ることは難しい。特に古新聞回収用紙袋をビニール紐で縛るにあたって十分な力で縛ることができない女性や子供、高齢者、手先の不自由な人にとってこのような作業をしっかり行うことは難しい。そのため、家庭の中でこのような作業を行うことができる人は限られてしまうが、古新聞の回収日直前から当日になってその人が運悪く様々な用事や仕事、行事で忙しくなった場合、その日に古新聞を回収場所まで持っていくことができず、結局次の古新聞回収日まで家の部屋の中に積み上げっぱなしにしてしまうことになる。
【００８０】
これによって、部屋の中が狭くなったり積み上げた古新聞が崩れて部屋中が乱雑になったりするだけでなく、積み上げた古新聞に高齢者が足をひっかけたり小さな子供がぶつかったりして思わぬ怪我を招く虞がある。しかしながら、本発明に係る古新聞回収用紙袋を利用することで、古新聞の回収日やその直前な非常に忙しくなって余分な時間がとれなくなっても、２本のループをしっかりと駒結びするだけで取っ手代わりの新たなループが形成されるので大量にたまった古新聞を古新聞回収用紙袋ごと素早く回収場所に持っていくことができる。これによって、大量にたまった古新聞を出し損ねることなく、上述したような問題が生じるのを防ぐことができる。
【００８１】
また、上述した先行技術文献において古新聞収納箱の構成が開示されていたが、発明の解決すべき課題の欄にも記載したように、月に１回か２回程度の頻度で古新聞を回収してもらう現状においては、古新聞回収ごとにこのような箱を使っていたのではきわめて多くの箱を用意して保管しておかなければならず、コストがかかる上、部屋の中でそれなりの保管スペースを必要としてしまい問題がある。また、他の先行技術文献において古新聞を回収する袋自体が合成樹脂でできているものもあったが、回収した後に回収業者が古新聞を再生業者に渡す際に、再生すべき古新聞に合成樹脂の袋が混ざらないように全ての袋自体から古新聞を取り出すという面倒な作業が必要となる。
【００８２】
しかしながら本発明による古新聞回収用紙袋を用いることでこれらの先行技術文献の欠点をすべて解決することができ、その使い勝手の良さを実感することができる。
【００８３】
続いて、上述した実施形態の変形例について説明する。最初に第１の変形例について記載する。この題記変形例に係る古新聞回収用紙袋は、紙袋本体の構成は上述した実施形態と同一であるが、紙紐の配索の仕方が上述した実施形態とは異なっている。
【００８４】
具体的には、第１の変形例に係る古新聞回収用紙袋においては、紙紐は、第１の側面の古新聞接触面と反対側面において第１の側面の下側縁部の長手方向一方の端部側に設けた下側紙紐挿通部から第１の側面の第１の上側折り返し部の長手方向一方の端部側に設けた上側紙紐挿通部に延在すると共に、第１の側面の古新聞接触面と反対側面において第１の側面の下側縁部の長手方向他方の端部側に設けた下側紙紐挿通部から第１の側面の第１の上側折り返し部の長手方向他方の端部側に設けた上側紙紐挿通部に延在し、かつ第２の側面の第２の上側折り返し部の古新聞接触面と反対側面において第２の側面の下側縁部の長手方向一方の端部側に設けた下側紙紐挿通部から第２の側面の第２の上側折り返し部の長手方向一方の端部側に設けた上側紙紐挿通部に延在し、第２の側面の古新聞接触面と反対側面において第２の側面の下側縁部の長手方向他方の端部側に設けた下側紙紐挿通部から第２の側面の上側折り返し部の長手方向他方の端部側に設けた上側紙紐挿通部に延在している。
【００８５】
そして、紙紐は更に、紙袋本体の底面部の古新聞接触面側において、第１の側面の一方の下側紙紐挿通部から第２の側面の一方の下側紙紐挿通部に延在すると共に、第１の側面の他方の下側紙紐挿通部から第２の側面の他方の下側紙紐挿通部に延在している。
【００８６】
なお、第１の側面の上側折り曲げ部から導出したループ状の紙紐と第２の側面の上側折り返し部から導出したループ状の紙紐は上述した実施形態と同様である。
【００８７】
最初に説明した実施形態に係る古新聞回収用紙袋の構成が本発明の効果を発揮する上で最も好ましい構成であるが、このような第１の変形例に係る構成においても、上述した最良の実施形態に係る古新聞回収用紙袋の有する効果と同様の効果を発揮することができる。
【００８８】
続いて、上述した実施形態の第２変形例について説明する。この変形例に係る紙紐付古新聞回収用紙袋は、紙袋本体の底面部分の紙紐の延在経路を変えたもので、上述した実施形態及びその変形例の双方に適用可能である。
【００８９】
具体的には、紙紐が、上述の実施形態のように第１の側面の一方の下側紙紐挿通部から第２の側面の一方の下側紙紐挿通部に延在すると共に、第１の側面の他方の下側紙紐挿通部から第２の側面の他方の下側紙紐挿通部に延在するように紙袋本体の底面において平行に延在する代わりに、第１の側面の一方の下側紙紐挿通部から第２の側面の他方の下側紙紐挿通部に延在すると共に、第１の側面の他方の下側紙紐挿通部から第２の側面の一方の下側紙紐挿通部に延在するように上島本体の底面において交差して延在していても良い。
【００９０】
続いて、本発明に係る古新聞回収用紙袋の第２の実施形態について説明する。図１８は、本発明の第２の実施形態に係る紙紐付古新聞回収用紙袋の紙紐を除いて紙袋本体を展開した状態を、紙袋作成の際に必要な谷折り線や山折り線を実線や一点鎖線で示すと共に、紙紐付古新聞回収用紙袋を作成した状態において延在する紙帯紐の幅方向中央部の経路を二点鎖線で示す斜視図である平面図である。また、図１９は、本発明の第２の実施形態に係る紙紐付古新聞回収用紙袋一方の斜め上側方から示す斜視図である。また、図２０は、本発明の第２の実施形態に係る紙紐付古新聞回収用紙袋を図１９とは異なる方向の斜め上側方から示す斜視図である。また、図２１は、本発明の第２の実施形態に係る紙紐付古新聞回収用紙袋の下側紙紐通し穴（図２１（ａ），（ｂ））と、上側紙通し穴及び紙袋の側面に設けられた側面紙通し穴（図２１（ｃ），（ｄ））をそれぞれ部分的に拡大して示す図であり、ドットで示す部分が折り返し部を表している。
【００９１】
最初にこの第２の実施形態に係る古新聞回収用紙袋に使用する紙の寸法について説明する。なお、以下に説明する紙の寸法についてはあくまで一例を示すもので、これ以外の寸法関係においても本発明を適用可能であることは言うまでもない。
【００９２】
図１８は、この古新聞回収用紙袋を作成するための用紙の展開図である。ここで符号２１００番台は、図中垂直線の左側端部から右側端部までの全てを表わしている。また、符号２２００番台は、図中水平線の上端から下端までの全ての線をそれぞれ表している。また、それ以降の符号は斜め線又は二点鎖線の部分をそれぞれ表している。
【００９３】
本実施形態においては、紙紐として紙帯紐が用いられ、紙には古新聞回収用紙袋を古新聞で満たして紐で縛って運ぶときに切れない程度の厚さのものを使用する。そして、その大きさは、図１８に示すように、縦６０ｃｍ、横１００ｃｍのものを使用する。
【００９４】
なお、図１８に示す縦線や横線、斜め線は、この紙を折って実際に古新聞回収用紙袋として作成するために使用する谷折り線や山折り線を表している。また、二点鎖線は、古新聞回収用紙袋作成後の後述するある程度の幅を有した紙帯紐を通す経路を表し、太く短い線は、紙帯紐を古新聞回収用紙袋の外側から内側又は内側から外側若しくは折り込み部から外側に通すための通し穴を作るのに使用する切り込み（スリット）線や、折り込むことで紙帯紐を挿通させる紙紐挿通孔を形成するための切り込み線を表している。
【００９５】
また、符号２１００番台で示す縦線同士は全て平行となっていると共に、符号２２００番台で示す横線同士も全て平行となっており、これらの縦線と横線同士は直交するようになっている。また、斜め線同士は、本実施形態においては互いに直交している。
【００９６】
続いて、本実施形態に係る古新聞回収用紙袋の紙袋本体の展開図として図１８に示す縦線、横線、斜め線、切り込み線同士の寸法関係について説明する。縦線２１０１とこれに平行する縦線２１０２〜２１０８のそれぞれおいて、縦線２１０１と２１０２との間隔は２８ｃｍ、縦線２１０２と２１０３との間隔は１０．５ｃｍ、縦線２１０３と２１０４との間隔は１０．５ｃｍ、縦線２１０４と２１０５との間隔は２８ｃｍ、縦線２１０５と２１０６との間隔は１０．５ｃｍ、縦線２１０６と２１０７との間隔は１０．５ｃｍ、縦線２１０７と２１０８との間隔は２ｃｍとなっている。
【００９７】
また、横線２２０１とこれに平行する横線２２０２乃至２２０５のそれぞれにおいて、横線２２０１と２２０２との間隔は７ｃｍ、横線２２０２と２２０３との間隔は３３ｃｍ、横線２２０３と２２０４との間隔は１０ｃｍ、横線２２０４と２２０５との間隔は２０ｃｍとなっている。
【００９８】
また、Ｖ字形をなす切り込み線２９０１と２９０２の尖った先端部分は、横線２２０４において縦線２１０１及び縦線２１０２との交差点からそれぞれ互いに近づく方向に向かって６ｃｍのところに形成されている。また、Ｖ字形をなす切り込み線２９０３と２９０４の尖った先端部分は、横線２２０４において縦線２１０４及び縦線２１０５との交差点からそれぞれ互いに近づく方向に向かって６ｃｍのところに形成されている。
【００９９】
また、Ｖ字形をなす切り込み線２９１１と２９１２の尖った先端部分は、横線２２０２において縦線２１０１及び縦線２１０２との交差点からそれぞれ互いに近づく方向に向かって１０ｃｍのところに形成されている。また、Ｖ字形をなす切り込み線２９１３と２９１４の尖った先端部分は、横線２２０２において縦線２１０４及び縦線２１０５との交差点からそれぞれ互いに近づく方向に向かって１０ｃｍのところに形成されている。
【０１００】
切り込み線２９０１と２９１１と切り込み線２９０３と２９１３は、斜辺の長さが８ｍｍの二等辺三角形の底辺部分を除く２つの斜辺を切り込んで形成されており、いわゆる「Ｖ」の字を時計回りに９０度回転させた形として表されている。一方、切り込み線２９０２と２９１２と２９０４と２９１４についても、斜辺の長さが８ｍｍの二等辺三角形の底辺部分を除く２つの斜辺を切り込んで形成されているが、この場合いわゆる「Ｖ」の字を反時計回りに９０度回転させた形として表されている。
【０１０１】
なお、これらの切り込み線の寸法は、古新聞回収用紙袋の最終形態において本実施形態では７ｍｍと言う所定幅を有する紙帯紐を通すことを前提として決められているが、この切り込み線の形状については紙帯紐を挿通することができれば必ずしも二等辺三角形の斜辺をなす必要はなく、直角三角形や他の三角形の斜辺として形成された切り込みであっても構わない。
【０１０２】
また、切り込み線２９２１と２９２２は、横線２２０２と２２０３との縦方向ほぼ中間部分であって二点鎖線２８０１と２８０２がそれぞれ長さ方向の中央部分を通過する位置に長さ約８ｍｍの横方向のスリットとして形成されている。また、切り込み線２９２３と２９２４は、横線２２０２と２２０３との縦方向ほぼ中間部分であって二点鎖線２９０２と２９０１がそれぞれ長さ方向の中央部分を通過する位置に長さ約８ｍｍの横方向のスリットとして形成されている。
【０１０３】
以下にこの第２の実施形態に係る古新聞回収用紙袋の作成の仕方について説明する。なお、以下の折り方の順番はあくまで一例であり、それ以外の幾つかの種類の順番でも折って作成することが可能である。
【０１０４】
最初に縦線２１０７を山折りすると共に、縦線２１０７と２１０８で挟まれた細長い部分に糊をつけてのりしろとする。そして、こののりしろの部分を図面上の紙面裏側回りに折り返して縦線２１０７を縦線２１０１に一致するようにのりしろを縦線２１０１側の裏側に貼り付けて筒状にする（手順１）。
【０１０５】
続いて、縦線２１０１と２１０４を山折りして、縦線２１０１から２１０４で囲まれる四角形と縦線２１０４から２１０７で囲まれる四角形が表裏となる二重折り状態にする（手順２）。
【０１０６】
続いて、縦線２１０２の走る紙の面を山折りすると共に、縦線２１０５の走る紙の面を山折りしてから元に戻す（手順３）。次いで、一点鎖線２１０３の走る紙の面を谷折りしてから元に戻すと共に、一点鎖線２１０６の走る紙の面を谷折りしてから元に戻す（手順４）。
【０１０７】
続いて、縦線２１０１と２１０４が左右幅方向のそれぞれの辺となるような二枚重ねの状態に戻し、その状態で二枚まとめて横線２２０３を山折り及び谷折りする（手順５）。
【０１０８】
続いて、図中縦線２１０１と２１０４、横線２２０４と２２０５で囲まれる四角形を上面として、図中横線２２０３の数字が書かれている面を山折りした状態で斜め線２４０１と横線２２０３と縦線２１０１で囲まれる三角形の斜め線２４０１を山折りしてこの三角形を折り返す。同じく、斜め線２３０２と横線２２０３と縦線２１０４で囲まれた三角形が現れた場合斜め線２３０２を山折りしてこの三角形を折り返す（手順６）。
【０１０９】
次いで、斜め線２７０１と縦線２１０１と横線２２０５で囲まれる三角形の斜め線２７０１を谷折りにして折り返すと共に、斜め線２６０２と縦線２１０４と横線２２０５で囲まれる三角形の斜め線２６０２を谷折りにして折り返す（手順７）。
【０１１０】
続いて、前記４つの折り返しを元に戻すと共に、山折りした横線２２０３を元に戻して、縦線２１０２と２１０５及び横線２２０１と２２０５で囲まれる四角形の面を上面とし、横線２２０３を山折りした状態で現れる斜め線２３０１と横線２２０３と縦線２１０２で囲まれる三角形の斜め線２３０１を谷折りしてこの三角形を折り返す。同じく、斜め線２３０３と横線２２０３と縦線２１０５で囲まれた三角形における斜め線２３０３を谷折りしてこの三角形を折り返す（手順８）。
【０１１１】
次いで、斜め線２６０１と縦線２１０２と横線２２０５で囲まれる三角形の斜め線２６０１を谷折りにして折り返すと共に、斜め線２７０４と縦線２１０５と横線２２０５で囲まれる三角形の斜め線２７０４を谷折りにして折り返す（手順９）。
【０１１２】
次いで、前記４つの折り返し部を元に戻すと共に山折りした横線２２０３を元に戻して、縦線２１０２と２１０５及び横線２２０１と２２０５で囲まれる四角形の状態に戻す。そして、横線２２０２に沿って山折り及び谷折りをする（手順１０）。
【０１１３】
続いて、このように折り目を入れた紙を折り曲げて今度は四角の筒状に戻した状態で、縦線２１０１と２１０２、横線２２０４と２２０５で囲まれる四角形を古新聞回収用紙袋の底面とする。この際、この四角形の縦線２１０１と２１０２の部分を９０度谷折りすると共に、この四角形の横線２２０４周りに９０度をなすように山折りすることで、この四角形を古新聞回収用紙袋の底面とする。
【０１１４】
これと同じく、縦線２０１４と２０１５、横線２２０４と２２０５で囲まれる四角形の縦線２１０４と２１０５の部分を９０度谷折りすると共に、この四角形の横線２２０４周りに９０度をなすように山折りする。これによって、古新聞回収用紙袋の二重底を形成する。なお、この二重底の上下関係はいずれが上側であっても構わない。
【０１１５】
次いで、上述のような二重底の形成に伴って一方の四角形の形成の際に互いに重なる横線２２０４とこれと重なる縦線２１０２と２１０４を底辺として斜め線２６０１と２６０２を斜辺とする二等辺三角形の重なり折り部をこの三角形の底辺周りに９０度山折して二重底の底面に重ねる。
【０１１６】
同じく、この四角形の横線２２０４とこれと重なる縦線２０１５と２０１７を底辺として斜め線２６０３と２６０４を斜辺とする二等辺三角形の重なり折り部をこの三角形の底辺周りに９０度山折して二重底の底面に重ねる。そして、紙が四重に重なり合った２つの三角形の重なり部を四角形の底面に糊でしっかりと貼り付ける。
【０１１７】
また、横線２２０２を全体的に山折りして折り返すことで、横線２２０１と２２０２との間で挟まれる領域を古新聞回収用紙袋の上側開口部の周囲内側折り返し部とする。
【０１１８】
なお、上述の古新聞回収用紙袋の底面部を形成する前に上述した上側開口部の周囲内側折り返し部を先に形成しても良い。
【０１１９】
続いて、このようにして作られた古新聞回収用紙袋の袋本体に紐を通す手順について説明する。なお、この紐を通す手順は、あくまで一例を示したものであり、本発明に係る古新聞回収用紙袋の最終形態をなす紐の通し方を実現できれば、紐の通し方についてはどのような手順であっても構わない。
【０１２０】
最初に紙紐を通すための通し穴を形成すべく、それぞれがＶ字形の切り込みをなす切り込み線２９０１と２９１１、２９０２と２９１２、２９０３と２９１３、２９０４と２９１４を各切り込みの端部同士を結ぶ仮想線回りに古新聞回収用紙袋の内側に折り返す。
【０１２１】
これによって、古新聞回収用紙袋の上部開口部の互いに対向する長辺縁部にそれぞれ２カ所、合計４カ所において上側紙紐通し穴が形成されると共に、古新聞回収用紙袋の互いに対向する両側面の下側長辺部と底面との境にそれぞれ２カ所、合計４カ所において下側紙紐通し穴が形成される。ここで、図１９乃至図２１におけるドットで示す領域は、Ｖ字形の切り込みを折り返して三角形状に２枚に重ね合わせた紙の部分を示している。
【０１２２】
なお、対向する幅広側の両側面にはそれぞれ２カ所ずつ合計４カ所水平方向に切り込み線が形成されているので、上述の作業で合計６カ所の紙紐通し穴が形成されることになる。これに加えて、紙袋の側面ほぼ中央における紙通し穴をなすスリット状の切り込み２９２１，２９２２，２９２３，２９２４を形成しておく。
【０１２３】
以上の各切り込み線は、本実施形態のように古新聞回収用紙袋を立体的に作る前の展開した１枚の大きな紙に図１８のように予め形成しておいても良く、上面が開口し底面が閉じた状態の古新聞回収用紙袋の本体を立体的に作った後に切り込みを入れても良い。しかしながら、予め展開した状態で切り込みを入れておいた方が、本体を立体的に作った後に切り込みをはさみ等で入れる際に思わぬ怪我をすることがないので好ましい。
【０１２４】
次いで、本実施形態においては幅７ｍｍ、長さ３メートルのしっかりした細長い帯状のいわゆる紙帯紐を用意する。この紙帯紐に関しては、古新聞回収用紙袋に古新聞を所定量だけ詰めた後に上側から延在する２つのループ状紙紐部を縛って古新聞の回収場所まで持っていく際に千切れることのない十分な厚さと引っ張り強度を有するものを使用する。
【０１２５】
以下に古新聞回収用紙袋の本体に紙紐を取り付ける手順の一例について説明する。本実施形態においては、上述の通り例えば長さ３メートルの紙帯紐を利用する。そして、この紙帯紐の中央部の１．５メートルの長さのところにおいて第１の実施形態のように第１の帯状のループ部を残すようにしてその一方の端部を古新聞回収用紙袋の上部開口部の一方の側面の縁部において切り込み線２９１１の部分を折り返して形成された第１の上側紙紐通し穴に通す。
【０１２６】
そして、この紙帯紐９０を古新聞回収用紙袋の一方の側面の内側（紙袋本体の内側）において、図１８中二点鎖線２８０１の経路に沿って図１９、図２０に示すように延在させる。
【０１２７】
次いで、一方の側面の中央部においてスリット２９２１によって形成された紙通し穴を通して一方の側面の外側に先端を出して今度は一方の側面の外側（紙袋本体の外側）において図１８中二点鎖線２８０１の経路に沿って図１９、図２０に示すように延在させる。
【０１２８】
次いで、紙帯紐を切り込み線２９０１の部分を折り返して形成された第１の下側紙紐通し穴に通し、古新聞回収用紙袋の底面の上側（紙袋本体の内側）を図１８中二点鎖線２８０１の経路に沿って展開時の縦線２１０１に対して平行となるように他方の側面に向かって図１９、図２０に示すごとく延在させる。
【０１２９】
次いで、切り込み線２９０４の部分を折り返して形成された第４の下側紙紐通し穴に通して紙帯紐９０の先端を古新聞回収用紙袋の外側に出す。そして、紙帯紐を古新聞回収用紙袋の他方の側面の外側（紙袋本体の外側）においてスリット２９２４によって形成された紙通し穴に至るまで図１８中二点鎖線２９０１の経路に沿って図１９、図２０に示すように延在させる。
【０１３０】
次いで、他方の側面の中央部においてスリット２９２４によって形成された紙通し穴に通して今度は他方の側面の内側（紙袋本体の内側）に沿って紙帯紐を上方に向かって延在させる。
【０１３１】
次いで、古新聞回収用紙袋の上部開口部の他方の側面の縁部において切り込み線２９１４の部分を折り返して形成された第４の上側紙紐通し穴に至るまで、図１８中二点鎖線２９０１の経路に沿って図１９、図２０に示すように紙紐を通して古新聞回収用紙袋の上方に延在させる。
【０１３２】
この第４の上側紙紐通し穴から上方に延在させる長さは、後述する第３の上側紙紐通し穴から上方に延在させる長さと等しいものとし、かつ第３及び第４の上側紙紐通し穴から上方に延在させた紙帯紐の先端をしっかり結んで他方のループを形成した時、一方のループと同等の大きさ及び形状を有するような長さとする。
【０１３３】
このように長さ３メートルの紙帯紐の真ん中から半分を古新聞回収用紙袋に取り付けた後、残りの半分を続いて古新聞回収用紙袋に取り付ける。具体的には、第１の実施形態のように紙帯紐でできた一方のループ部を残すようにしてその他方の端部を古新聞回収用紙袋の上部開口部の一方の側面の縁部において切り込み線２９１２の部分を折り返して形成された第２の上側紙紐通し穴に通す。そして、この紙帯紐を古新聞回収用紙袋の一方の側面の内側（紙袋本体の内側）において図１８中二点鎖線２８０２で示す経路に沿って図１９、図２０に示すように延在させる。
【０１３４】
次いで、一方の側面の中央部においてスリット２９２２によって形成された紙通し穴を通して一方の側面の外側（紙袋本体の外側）に先端を出して今度は一方の側面の外側において図１８中二点鎖線２８０２で示す経路に沿って図１９、図２０に示すように延在させる。
【０１３５】
次いで、切り込み線２９０２の部分を折り返して形成された第２の下側紙紐通し穴に通し、古新聞回収用紙袋の底面の上側（紙袋本体の内側）を図中二点鎖線で示すように展開時の縦線２１０２に対して平行となるように他方の側面に向かって延在させる。
【０１３６】
次いで、切り込み線２９０３の部分を折り返して形成された第３の下側紙紐通し穴に通して紙帯紐の先端を古新聞回収用紙袋の外側に出す。そして、紙帯紐を古新聞回収用紙袋の他方の側面の外側（紙袋本体の外側）においてスリット２９２３によって形成された紙通し穴に至るまで延在させる。
【０１３７】
次いで、他方の側面の中央部においてスリット２９２３によって形成された紙通し穴に通して今度は他方の側面の内側に沿って紙帯紐９０を上方に向かって延在させる。
【０１３８】
次いで、古新聞回収用紙袋の上部開口部の他方の側面の縁部において切り込み線２９１３の部分を折り返して形成された第３の上側紙紐通し穴に紙紐を通して古新聞回収用紙袋の上方に延在させる。
【０１３９】
この第３の上側紙紐通し穴から上方に延在させる長さは、上述した第４の上側紙紐通し穴から上方に延在させる長さと等しくなる。そして、第３の上側紙紐通し穴から上方に延在させた紙帯紐の端部と第４の上側紙紐通し穴から上方に延在させた紙帯紐の端部をしっかり結ぶことで、一方のループと同等の大きさ及び形状を有する他方のループを形成する。
【０１４０】
このようにして形成した古新聞回収用紙袋に実際の古新聞を入れて所定の高さまで古新聞が積み上がった後に一方の紙帯紐のループと他方の紙帯紐のループ同士を縛り、この縛った後の紙帯紐の部分を手で掴んで取っ手代わりにして古新聞の回収場所まで運ぶ。このやり方については、上述した第１の実施形態及びその変形例と同様である。
【０１４１】
なお、上述の第２の実施形態においては、紙帯紐は幅広の対向する古新聞回収用紙袋の両側面においてスリット２９２１〜２９２４の４つにおいてそれぞれ形成された４カ所の側部紙通し穴から古新聞回収用紙袋の内側に入り込んで切り込み部２９１１〜２９１４の４つにおいてそれぞれ形成された４カ所の紙通し穴からループをなすように上方に延在する。
【０１４２】
これによって、古新聞回収用紙袋の幅広の一方の側面の２つの側部紙通し穴の上から２つの上部紙通し穴まで古新聞回収用紙袋の側面の外側面に紙帯紐が現れなくなる。同様に古新聞回収用紙袋の幅広の他方の側面の２つの側部紙通し穴の上から２つの上部紙通し穴まで古新聞回収用紙袋の側面の外側面に紙帯紐が現れなくなる。
【０１４３】
この紙帯紐が袋の内側に通って現れなくなった側面領域を利用して、この側面の部分に行政情報や営業広告、古新聞を出す際の注意事項、環境保護の大切さをアピールする内容、本発明に係る紙紐付古新聞回収用紙袋の優れた利点などを印刷したり貼り付けたりして表示可能なことが、第２の実施形態の特有の特徴部分の１つである。
【０１４４】
なお、上述の実施形態においては、古新聞回収用紙袋の底面の上側を２本の紙帯紐が互いに平行をなすように延在していたが、第１の実施形態の変形例のように紙帯紐の紐通し穴へのルート（経路）を変えることによって紙袋の開口部から見ていわゆるＸ字状に交差するようにしても良い。
【０１４５】
また、上述の各実施形態及びその変形例において、長さの長い紐や紙帯紐の端部同士の結び目は一方のループの部分に形成されたが、必ずしもこの部分に形成されている必要はなく、紙袋に紙紐が通る経路の他の部分に結び目を形成しても良いことは言うまでもない。
【０１４６】
また、第２の実施形態において、図１８に示す横線２２０１と２２０２との間の幅を横線２２０２と２２０４との間の幅まで近づけて、紙袋の側面全体がほぼ二重の紙でできているようにしても良い。
【０１４７】
なお、古新聞回収用紙袋に古新聞を詰めて紙紐又は紙帯紐の２つのループ状部分を互いに縛ってこの古新聞回収用紙袋を回収場所まで運ぶ際において、上述の各実施形態及びその変形例に係る本発明は特有の優位点を有している。具体的には、紙袋の底の部分に延在する２本の紙紐は、紙袋に収容された古新聞が運搬中に傾かないようにバランス良く紙袋の底面に沿って延在しており、かつこの部分の紙紐には紙袋に収容された古新聞全ての重さが加わっているため、運搬中紙紐がずれることは無い。
【０１４８】
そして、古新聞回収用紙袋の一方の側面に沿って上方に延在する２本の紙紐は、紙袋の底の部分の下側紙紐通し穴を通って互いに同じ角度で互いの間隔を狭めて上方に延在し上側紙紐通し穴を通ってもともとループ状部分をなしていた紙紐を１カ所で縛り付けている。同じく、古新聞回収用紙袋の他方の側面に沿って上方に延在する２本の紙紐は、紙袋の底の部分の下側紙紐通し穴を通って互いに同じ角度で互いの間隔を狭めて上方に延在し上側紙紐通し穴を通ってもともとループ状部分をなしていた紙紐を１カ所で縛り付けている。
【０１４９】
即ち、古新聞回収用紙袋に古新聞を詰めてループ状部分の紙紐を絞った状態においては、４本の紙紐が上方に向かうに従って互いに近づいていくようになるため、いわゆるくさび作用に類似した締め付け作用により、古新聞回収用紙袋に詰めた古新聞をしっかりとその周囲の４カ所において締め付けて運搬中に古新聞がバラバラにならないようにしている。
【０１５０】
なお、古新聞回収用紙袋に詰めた古新聞は、上側に積み上げられるにつれてその部分の古新聞に作用するそれより上に積み上げられた古新聞の重さが徐々に小さくなっていくので、運搬中において上述した４本の紙紐のそれぞれに作用する張力の分力が均等に内側に作用して、紙袋内で積み上げられた古新聞同士がずれるのを防止する。
【０１５１】
特に第２の実施形態の古新聞回収用紙袋においては、一方の側面部に２カ所、他方の側面部に２カ所の側面紙紐通し穴が設けられており、それぞれの側面紙紐通し穴は、古新聞回収用紙袋の幅広の両側面を４本の紙帯紐がそれぞれ２本ずつ上下に僅かに正しい角度で斜めに延在していくのを保持するガイド穴としての役目を果たしているので、上述した作用をより確実に発揮することができる。
【０１５２】
また、これら側面紙紐通し穴は、古新聞回収用紙袋の使用前であって折りたたんだ状態においても４本の紙帯紐が古新聞回収用紙袋の幅広の両側面から離れることなくその両側面にしっかりと延在して状態を保っているので、古新聞回収用紙袋の使用前に紙帯紐を誤って引っ張って紙袋を破ってしまったりするのを防止できる。
【０１５３】
また、上述の各実施形態及びその変形例において、上側紙紐通し穴及び下側紙紐通し穴は、Ｖ字形の切れ込みの三角形の部分を折り返して形成されている。即ち、折り返した部分が二枚重ねとなっているため、この折り返した部分に紙紐が食い込んでも紙袋が容易に破けたりすることはない。
【０１５４】
そのため、例えば第１の実施形態及びその変形例の場合、下側紙紐通し穴の三角の折り返し方向を紙袋の底面に沿って折り返した場合、古新聞回収用紙袋に古新聞を詰め込んだ場合に紙紐が下側紙紐通し穴を通って一番下の古新聞の４カ所の角を押さえる際にこの三角形の紙の折り返しが二重折りとなっているので、古新聞を詰めた状態で古新聞回収用紙袋を回収場所まで運ぶ際に床に何度も置いてもこの部分が破れ難く、古新聞をしっかりと紙袋で包んでしっかりと縛ったまま回収場所まで持っていくことができる。
【０１５５】
また、下側紙紐通し穴を形成するために三角形の部分を折り返す際に紙袋の側面の底辺の中央方向に向けて折り返すので、下側紙紐通し穴の紙袋の側面の底辺の中央方向に紙の折り返し部が形成される。
【０１５６】
これによって、古新聞を詰めた状態で古新聞回収用紙袋を回収場所まで運ぶ際に紙袋の側面に僅かに斜めに向いて延在する紙紐に作用する張力の分力が下側紙紐通し穴の紙袋の側面の底辺の中央方向に作用しても、この部分が折り返されて紙が二重になっているので容易に破けることはない。
【０１５７】
同じく、上側紙紐通し穴を形成するために三角形の部分を折り返す際に紙袋の側面の上縁の中央方向に向けて折り返すので、上側紙紐通し穴の紙袋の側面の上縁の中央方向に紙の折り返し部が形成される。
【０１５８】
これによって、古新聞を詰めた状態で古新聞回収用紙袋を回収場所まで運ぶ際に紙袋の側面に僅かに斜めに向いて延在する紙紐に作用する張力の分力が上側紙紐通し穴の紙袋の側面の底辺の中央方向に作用しても、この部分が折り返されて紙が二重になっているので容易に破けることはない。
【０１５９】
なお、上述の第２の実施形態の構成とは異なり、以下のような変形例であっても構わない。
【０１６０】
具体的には、紙帯紐を、第１の側面の古新聞接触面において第１の側面の下側縁部の長手方向一方の端部側に設けた下側紙紐挿通部からこれに最も近い側面紙紐挿通部まで延在した後、側面紙紐挿通部を通って第１の側面の古新聞接触面と反対側面において側面紙紐挿通部から第１の側面の第１の上側折り返し部の長手方向一方の端部側に設けた上側紙紐挿通部に延在させる。
【０１６１】
なお、この変形例では上側紙紐挿通部を形成するために、紙袋本体の上端縁を第２の実施形態のように内側に折り返す代わりに、所定の幅で外側に折り返すことが必要となる。
【０１６２】
そして、更に紙帯紐を、第１の側面の古新聞接触面において第１の側面の下側縁部の長手方向他方の端部側に設けた下側紙紐挿通部からこれに最も近い側面紙紐挿通部まで延在させた後、側面紙紐挿通部を通って第１の側面の古新聞接触面側において側面紙紐挿通部から第１の側面の第１の上側折り返し部の長手方向他方の端部側に設けた上側紙紐挿通部まで延在させる。
【０１６３】
そして、更に紙帯紐を、第２の側面の古新聞接触面において第２の側面の下側縁部の長手方向一方の端部側に設けた下側紙紐挿通部からこれに最も近い前記側面紙紐挿通部まで延在させた後、側面紙紐挿通部を通って第２の側面の古新聞接触面と反対側面において側面紙紐挿通部から第２の側面の第２の上側折り返し部の長手方向一方の端部側に設けた上側紙紐挿通部に延在させる。
【０１６４】
そして、更に紙帯紐、第２の側面の古新聞接触面において第２の側面の下側縁部の長手方向他方の端部側に設けた下側紙紐挿通部からこれに最も近い側面紙紐挿通部まで延在させ、側面紙紐挿通部を通って第２の側面の古新聞接触面と反対側面において側面紙紐挿通部から第２の側面の第２の上側折り返し部の長手方向他方の端部側に設けた上側紙紐挿通部に延在させる。
【０１６５】
そして、紙帯紐を、更に第１の側面の一方の下側紙紐挿通部から第２の側面の一方の下側紙紐挿通部に紙袋本体の底面部の古新聞接触面側と反対側面に延在させると共に、第１の側面の他方の下側紙紐挿通部から第２の側面の他方の下側紙紐挿通部に紙袋本体の底面部の古新聞接触面側と反対側面に延在させる。残りの構成は、第２の実施形態と同様である。
【０１６６】
図２２は、上述した本発明の第２の実施形態に係る紙紐付古新聞回収用紙袋の変形例を具体的に示す図１９に対応する斜視図である。また、図２３は、本発明の第２の実施形態に係る紙紐付古新聞回収用紙袋の変形例を示す図２０に対応する斜視図である。
【０１６７】
また、図１８に示すような縦線、横線、斜め線と各線に対応する符号（番号）を紙袋作成前の紙の表面に予め表示（印字）しておき、上述した紙袋作成手順と紙紐（紙帯紐）の通し方の手順をこの部分に説明書きとして加えておけば簡単に本発明品を作成できるようになるので、様々な人たちがこの紙袋の作成作業に携わることが可能となる。その結果、軽作業を行う施設等に本発明に係る紙紐付古新聞回収用紙袋の作成を依頼することで、このような軽作業を希望する多くの人たちの雇用促進に貢献することができる。
【０１６８】
このような変形例の構成とした場合、この第２の実施形態の変形例における紙袋本体の２つの側面の外側において紙帯紐が延在していない部分は側面の下側になるので、この領域を利用して広告表示や行政情報を表示しても良い。
【０１６９】
また、第２の実施形態では、一定の幅を有する紙帯紐を用いたが、この代わりに第１の実施形態のように普通に撚ってできた紙紐を用いても良い。この場合、各紙紐の格子穴の大きさはより小さいものとして形成するのが良い。これによって、紙紐が紙袋本体に対してずれずにしっかりと備わるようになる。
【０１７０】
以上の実施形態及びその変形例は、あくまで古新聞を回収するための紙紐付古新聞回収用紙袋についての構成及び作成方法並びにその作用についての説明であったが、本発明は必ずしも古新聞を回収するためのものに限定されるものでは無い。
【０１７１】
具体的には、上述した各実施形態及びその変形例に係る紙紐付古新聞回収用紙袋において、第１の側面か第２の側面の一方の側面から導出した紙紐が、そのままループ状をなし、他方の側面から導出した紙紐はその端部が結ばれることでループ状をなす代わりに、２つのループ状の紙紐には結び部を有しておらず、結び部は前記２つのループ状以外の紙紐の延在位置において備わっていても良い。
【０１７２】
また、例えば、本発明に係る古新聞回収用紙袋の寸法を書いて一般的な雑誌を収容できる紙紐付雑誌回収用紙袋に本発明を適用しても良い。これによって、読み終えて廃棄するだけの雑誌やチラシを部屋の中にバラバラに積み上げたままとすることなく紙紐付雑誌回収用紙袋の中に積み上げていくようにすることで、部屋が乱雑にならずに特別な時間を設けて整理整頓する必要もなく部屋の中をきれいにしかつ無駄な雑誌の保管場所をとることなく部屋を広く使うことができる。
【０１７３】
また、これより更に小さい寸法の紐付き回収用紙袋を作成して古新聞の代わりに開封した封筒や当該古新聞よりも小さいサイズの雑紙を入れることができる寸法を有した紙紐付雑紙回収用紙袋に本発明を適用しても良い。
【０１７４】
この場合の雑紙とは、開封した封筒・メモ帳・学校で配られてきたプリント等が考えられる。に入れるようにする。また、Ａ４サイズのコピー用紙が入れられるような寸法を有する大きさのＡ４サイズ雑紙回収用紙袋を作成して用いても良い。このようなＡ４サイズ雑紙回収用紙袋によると、機密文書以外のＡ４サイズの雑紙が発生したことにその紙袋に向きを揃えて入れていくことができるので、例えば職場で不要になった書類と使用中の書類が混在して必要とする時に使用中の書類を見つけることができずこれを探すための無駄な時を発生させずに済む。また、不要となったＡ４サイズの雑紙の向きを揃えて紙袋の中に重ねていけるので、このような不要となった紙が職場に散乱することなく快適な環境で仕事に集中することができる。
【０１７５】
また、上述した学校で配られてきたプリントやＡ４サイズの雑紙を本発明に係る紙紐付雑紙回収用紙袋に随時重ねて入れておくことで、本来必要とすべきであった学校で配られたプリントや業務上使用したＡ４サイズの雑紙を間違えて不要な雑紙としてその紙袋の中に入れてしまっても、その紙袋自体を廃棄するまでしばらく日にちを要するので、その間に気がつけば再度その紙袋の中から探し出すことができる。
【０１７６】
以上説明したように、本発明に係る紙紐付古新聞回収用紙袋は、回収用紙袋の底面に２本の紙紐を平行に予め備えているため、回収用紙袋の厚さが薄くても大量に重ねた古新聞によって回収用紙袋の底面が破れることがないことに特徴がある。
【０１７７】
また、紙紐の角度を斜めにする点や、コストを抑えて製作できることに加えて、手先の不自由な人であって紙紐縛り等がやり易い使い勝手の良さ、回収袋の表面に新聞や雑誌、古紙当の回収日を印刷しておくことができることに特徴がある。
【０１７８】
また、紙袋本体を作成する際に紙紐挿通部を形成するための切り込み部を作成前の紙の所定位置に形成しておくことで、切断工程を経ないで紙紐付古新聞回収用紙袋を作成することができるので、この作成工程を障害者施設等で安全に行うことが可能になり、障害者の雇用促進に貢献できることにも特徴がある優れた発明品である。
【符号の説明】
【０１７９】
１    紙紐付古新聞回収用紙袋
１０    紙袋本体
５０    古新聞
９０    紙帯紐
１００    第１の側面
１０１    第１の延在面
１１０，１２０    下側紙紐挿通部
１５０    第１の上側折り返し部
１６０，１７０    上側紙紐挿通部
２００    第２の側面
２０１    第２の延在面
２１０，２２０    下側紙紐挿通部
２５０    第２の上側折り返し部
２６０，２７０    上側紙紐挿通部
３００    第３の側面
３０１    第３の延在面
４００    第４の側面
４０１    第４の延在面
５００    底面部
９００    紙紐
９１０    第１のループ状紙紐部
９２０    第２のループ状紙紐部
１０００    紙
１０１０    糊しろ部
１２００    ２枚重ね部
１２１１，１２１２, １２２２    縦折り線
１２３０    長方形領域
１２４０    正方形領域
１３０１    斜め折り線
１３１１，１３１２    斜め折り線
１３２１，１３２２    斜め折り線
１４００    ４枚重ね部
１４０１，１４０２    切り込み線
１５０１，１５０２    Ｖ字型切り込み線
【図１】
2019064742.tif 000003
【図２】
2019064742.tif 000004
【図３】
2019064742.tif 000005
【図４】
2019064742.tif 000006
【図５】
2019064742.tif 000007
【図６】
2019064742.tif 000008
【図７】
2019064742.tif 000009
【図８】
2019064742.tif 000010
【図９】
2019064742.tif 000011
【図１０】
2019064742.tif 000012
【図１１】
2019064742.tif 000013
【図１２】
2019064742.tif 000014
【図１３】
2019064742.tif 000015
【図１４】
2019064742.tif 000016
【図１５】
2019064742.tif 000017
【図１６】
2019064742.tif 000018
【図１７】
2019064742.tif 000019
【図１８】
2019064742.tif 000020
【図１９】
2019064742.tif 000021
【図２０】
2019064742.tif 000022
【図２１】
2019064742.tif 000023
【図２２】
2019064742.tif 000024
【図２３】
2019064742.tif 000025